(57)【要約】【課題】航空機空気汚染物質を決定して種類により分類するため、サンプル流路及び当該サンプル流路を迂回するバイパス流路を提供する方法及び航空機空気汚染物質分析装置を提供すること。【解決手段】本発明の、航空機空気汚染物質を決定して種類により分類する方法は、航空機空気を航空機空気汚染物質分析装置の入口並びに流通加熱ブロック及び第１のバルブに通過させるステップを含み、その通過した空気をコンピュータ処理することを特徴とする。【選択図】図２
2020187111.tif 000002
【特許請求の範囲】
【請求項１】
航空機空気汚染物質を決定して種類により分類する方法であって、
（ａ）航空機空気を航空機空気汚染物質分析装置の入口並びに流通加熱ブロック及び第１のバルブに通過させるステップであって、前記流通加熱ブロックが、当該流通加熱ブロックを通過する前記航空機空気の温度を制御するように構成され、前記航空機空気のサンプルを第１のサンプル流量及び／又は第１のサンプル流量継続時間で第１のサンプル流路に沿って前記航空機空気汚染物質分析装置並びに少なくとも１つの航空機空気汚染物質収集器及び第２のバルブに通過させる一方、航空機空気の別のサンプルを第２のサンプル流量及び／又は第２のサンプル流量継続時間で前記少なくとも１つの航空機空気汚染物質収集器を迂回する第２のサンプル流路に沿って前記航空機空気汚染物質分析装置並びにバイパス部及び第３のバルブに通過させる、ステップであり、前記少なくとも１つの航空機空気汚染物質収集器が、
（ｉ）前記第１のサンプル流路を横切って配置された微細多孔質流通チャネルを備え、化学選択的被膜を有する微細多孔質媒体と、
（ｉｉ）捕捉された空気汚染物質を蒸発させる温度まで加熱可能な薄膜抵抗性加熱器であり、前記微細多孔質媒体と接触した、薄膜抵抗性加熱器と、
を備え、前記航空機空気汚染物質分析装置が、空気汚染物質の塊が重量測定センサに追加又は重量測定センサから除去された場合に、比例共振周波数応答を生成して、空気汚染物質の種類を分類するように構成された重量測定センサをさらに具備しており、前記バイパス部が、前記第２のサンプル流路を含むバイパスチャネルを備え、
（ａ’）前記航空機空気汚染物質分析装置が、
前記第１のサンプル流路及び前記第２のサンプル流路に沿った流れを生成するポンプと、
前記第１のバルブ、前記第２のバルブ、及び前記第３のバルブ間に配置された圧力センサと、
前記流通加熱ブロック中の温度を測定するように構成された温度センサと、
をさらに備えた、ステップと、
（ｂ）前記第１のサンプル流路に沿って、前記少なくとも１つの航空機空気汚染物質収集器を通る前記第１のサンプル流量及び／又は前記第１のサンプル流量継続時間を制御する一方、前記第２のサンプル流路に沿って、前記バイパス部を通る前記第２のサンプル流量及び／又は前記第２のサンプル流量継続時間を独立して制御するステップであり、前記第１のサンプル流量及び／又は前記第１のサンプル流量継続時間が最初は、応答信号の大きさの第１の測定用の低い値に設定された、ステップと、
（ｃ）前記微細多孔質媒体により空気汚染物質を捕捉するステップと、
（ｄ）前記第１のバルブ及び前記第２のバルブを閉じ、前記圧力センサからの信号に基づいて所望の圧力に達した場合、前記第３のバルブを閉じるとともに、前記第１のサンプル流路に沿った前記少なくとも１つの航空機空気汚染物質収集器への航空機空気の通過を中断するステップと、
（ｅ）前記捕捉した空気汚染物質を蒸発させて脱着させるのに十分な温度まで前記微細多孔質媒体を加熱するステップと、
（ｆ）空気汚染物質の塊が前記重量測定センサに追加又は前記重量測定センサから除去された場合に比例共振周波数応答を生成するように構成された前記重量測定センサにおいて、前記脱着された空気汚染物質を受容するステップと、
（ｇ）前記空気汚染物質が前記重量測定センサに追加又は前記重量測定センサから除去された場合に前記重量測定センサにより生成された前記比例共振周波数応答を測定し、前記比例共振周波数応答から信号の大きさを決定し、前記空気汚染物質の濃度を決定し、前記空気汚染物質の種類を分類し、前記決定した空気汚染物質の濃度及び分類した空気汚染物質の種類を出力するステップと、
（ｈ）コンピュータ可読媒体に格納され、前記測定した信号の大きさ並びに前記第１のサンプル流路に沿った前記第１のサンプル流量及び前記第１のサンプル流量継続時間を用いて、空気汚染物質の濃度を計算することを含む空気汚染物質認識プログラムを実行するステップと、
（ｉ）前記第１のバルブ、前記第２のバルブ、及び前記第３のバルブを開くステップと、
（ｊ）前記信号の大きさの目標レベルを決定し、（ｂ）〜（ｉ）を継続的に繰り返して、応答信号の大きさを測定するとともに、過去に測定した信号の大きさに基づいて、前記第１のサンプル流量及び／又は前記第１のサンプル流量継続時間を調整することにより、
前記信号の大きさが前記目標レベルよりも低い場合に、前記信号の大きさが前記目標レベルを下回る分に比例した量だけ前記第１のサンプル流量及び／又は前記第１のサンプル流量継続時間を増大させて、前記信号の大きさを前記目標レベルに維持することと、
前記信号の大きさが前記目標レベルよりも高い場合に、前記信号の大きさが前記目標レベルを上回る分に比例した量だけ前記第１のサンプル流量及び／又は前記第１のサンプル流量継続時間を減少させて、前記信号の大きさを前記目標レベルに維持することと、
を行うステップと、
（ｋ）前記コンピュータ可読媒体に格納され、前記測定した信号の大きさ並びに前記第１のサンプル流路に沿った前記第１のサンプル流量及び前記第１のサンプル流量継続時間を用いて、空気汚染物質の濃度を計算することを含む前記空気汚染物質認識プログラムを実行するステップと、
（ｌ）前記決定した空気汚染物質の濃度及び空気汚染物質の種類を出力するステップと、
を含む、方法。
【請求項２】
航空機空気汚染物質を決定して種類により分類する方法であって、
（ａ）航空機空気を航空機空気汚染物質分析装置の入口並びに流通加熱ブロック及び第１のバルブに通過させるステップで、前記流通加熱ブロックが、当該流通加熱ブロックを通過する前記航空機空気の温度を制御するように構成された、ステップであり、
（ａ’）前記航空機空気汚染物質分析装置が、
少なくとも１つの第１の航空機空気汚染物質収集器及び第２の航空機空気汚染物質収集器と、
第１のサンプル部分流路及び第２のサンプル部分流路を含む第１のサンプル流路であり、前記第１の航空機空気汚染物質収集器が、前記第１のサンプル部分流路に沿って配置され、前記航空機空気汚染物質分析装置が、前記第１のサンプル部分流路と連通した第１の可調整流量制御器を具備しており、前記第２の航空機空気汚染物質収集器が、前記第２のサンプル部分流路に沿って配置され、前記航空機空気汚染物質分析装置が、前記第２のサンプル部分流路と連通した第２の可調整流量制御器を具備しており、前記航空機空気汚染物質分析装置が、前記第１のサンプル部分流路及び前記第２のサンプル部分流路の下流に配置された第２のバルブを具備した、第１のサンプル流路と、
前記第１の航空機空気汚染物質収集器及び前記第１のサンプル部分流路を迂回するとともに前記第２の航空機空気汚染物質収集器及び前記第２のサンプル部分流路を迂回するバイパスサンプル流路を提供するとともに、前記バイパスサンプル流路を含むバイパスチャネルを備えたバイパス部であり、前記航空機空気汚染物質分析装置が、前記バイパスサンプル流路の下流に配置された第３のバルブを具備しており、前記第１の航空機空気汚染物質収集器及び前記第２の航空機空気汚染物質収集器がそれぞれ別個に、
（ｉ）前記サンプル部分流路を横切って配置された微細多孔質流通チャネルを備え、化学選択的被膜を有する微細多孔質媒体と、
（ｉｉ）捕捉された空気汚染物質を蒸発させる温度まで加熱可能な薄膜抵抗性加熱器であり、前記微細多孔質媒体と接触した、薄膜抵抗性加熱器と、
を備え、前記航空機空気汚染物質分析装置が、空気汚染物質の塊が重量測定センサに追加又は重量測定センサから除去された場合に、比例共振周波数応答を生成して、空気汚染物質の種類を分類するように構成された各重量測定センサを前記第１の航空機空気汚染物質収集器及び前記第２の航空機空気汚染物質収集器それぞれの近くにさらに具備した、バイパス部と、
を備え、
（ａ’’）前記航空機空気汚染物質分析装置が、
前記第１のサンプル部分流路、前記第２のサンプル部分流路、及び前記バイパスサンプル流路に沿った流れを生成するポンプと、
前記第１のバルブ、前記第２のバルブ、及び前記第３のバルブ間に配置された圧力センサと、
前記流通加熱ブロック中の温度を測定するように構成された温度センサと、
をさらに備えた、ステップと、
（ｂ）前記航空機空気の第１のサンプルを第１のサンプル流量及び第１のサンプル流量継続時間で前記第１のサンプル流路に沿って前記航空機空気汚染物質分析装置並びに前記第１及び第２の航空機空気汚染物質収集器及び前記第２のバルブに通過させるステップであって、前記第１のサンプルの第１のサンプル部分を前記第１の航空機空気汚染物質収集器に通過させ、前記第１のサンプルの第２のサンプル部分を前記第２の航空機空気汚染物質収集器に通過させることを含む、ステップであり、前記航空機空気の前記第１のサンプル部分を第１のサンプル部分流量及び第１のサンプル部分流量継続時間で前記第１のサンプル部分流路に沿って通過させ、前記航空機空気の前記第２のサンプル部分を第２のサンプル部分流量及び前記第１のサンプル部分流量継続時間に等しい第２のサンプル部分流量継続時間で前記第２のサンプル部分流路に沿って通過させる一方、航空機空気の別のサンプルをバイパスサンプル流量及びバイパスサンプル流量継続時間で前記第１及び第２の航空機空気汚染物質収集器を迂回する前記バイパスサンプル流路に沿って前記航空機空気汚染物質分析装置並びに前記バイパス部及び第３のバルブに通過させる、ステップと、
（ｂ’）前記第１のサンプル部分流量及び前記第２のサンプル部分流量を調整することにより、
前記第１の航空機空気汚染物質収集器の近くの前記重量測定センサによる測定信号の大きさが前記第２の航空機空気汚染物質収集器の近くの前記重量測定センサによる測定信号の大きさを上回る場合に、前記第１の可調整流量制御器を調整することによって、前記第１のサンプル部分流量を減少させることと、
前記第２の航空機空気汚染物質収集器の近くの前記重量測定センサによる測定信号の大きさが前記第１の航空機空気汚染物質収集器の近くの前記重量測定センサによる測定信号の大きさを上回る場合に、前記第２の可調整流量制御器を調整することによって、前記第２のサンプル部分流量を減少させることと、
を行うステップと、
（ｃ）前記第１のサンプル部分流路に沿って、前記第１のサンプル流量及び／又は前記第１のサンプル流量継続時間を制御する一方、前記バイパスサンプル流路に沿って、前記バイパス部を通る前記バイパスサンプル流量及び／又は前記バイパスサンプル流量継続時間を独立して制御するステップであり、前記第１のサンプル流量及び／又は前記第１のサンプル流量継続時間が最初は、応答信号の大きさの初期測定用の低い値に設定された、ステップと、
（ｄ）各微細多孔質媒体により空気汚染物質を捕捉するステップと、
（ｅ）前記第１のバルブ及び前記第２のバルブを閉じ、前記圧力センサからの信号に基づいて所望の圧力に達した場合、前記第３のバルブを閉じるとともに、前記第１のサンプル部分流路及び前記第２のサンプル部分流路に沿った前記第１及び第２の航空機空気汚染物質収集器への航空機空気の通過を中断するステップと、
（ｆ）前記捕捉した空気汚染物質を蒸発させて脱着させるのに十分な温度まで各微細多孔質媒体を加熱するステップと、
（ｇ）空気汚染物質の塊が前記重量測定センサに追加又は前記重量測定センサから除去された場合に比例共振周波数応答を生成するように構成された各重量測定センサにおいて、前記脱着された空気汚染物質を受容するステップと、
（ｈ）前記空気汚染物質が前記重量測定センサに追加又は前記重量測定センサから除去された場合に各重量測定センサにより生成された比例共振周波数応答を測定し、前記比例共振周波数応答から信号の大きさを決定し、前記空気汚染物質の濃度を決定し、前記空気汚染物質の種類を分類し、前記決定した空気汚染物質の濃度及び分類した空気汚染物質の種類を出力するステップと、
（ｉ）コンピュータ可読媒体に格納され、前記測定した信号の大きさ並びに前記第１のサンプル流路に沿った前記第１のサンプル流量及び前記第１のサンプル流量継続時間を用いて、空気汚染物質の濃度を計算することを含む空気汚染物質認識プログラムを実行するステップと、
（ｊ）前記第１のバルブ、前記第２のバルブ、及び前記第３のバルブを開くステップと、
（ｋ）前記信号の大きさの目標レベルを決定し、（ｄ）〜（ｊ）を継続的に繰り返して、応答信号の大きさを測定するとともに、前記第１のサンプル部分流量及び／又は前記第１のサンプル部分流量継続時間を調整することにより、
（ｉｖ）前記第１の航空機空気汚染物質収集器及び前記第２の航空機空気汚染物質収集器の近くの前記重量測定センサにより過去に測定した信号の大きさの平均、
（ｖ）前記第１の航空機空気汚染物質収集器の近くの前記重量測定センサにより過去に測定した信号の大きさ、又は
（ｖｉ）前記第２の航空機空気汚染物質収集器の近くの前記重量測定センサにより過去に測定した信号の大きさ、
が、前記目標レベルよりも低い場合に、前記測定信号の大きさが前記目標レベルを下回る分に比例した量だけ前記第１のサンプル部分流量及び／又は前記第１のサンプル部分流量継続時間を増大させて、前記信号の大きさを前記目標レベルに維持することと、
（ｖｉｉ）前記第１の航空機空気汚染物質収集器及び前記第２の航空機空気汚染物質収集器の近くの前記重量測定センサにより過去に測定した信号の大きさの平均、
（ｖｉｉｉ）前記第１の航空機空気汚染物質収集器の近くの前記重量測定センサにより過去に測定した信号の大きさ、又は
（ｉｘ）前記第２の航空機空気汚染物質収集器の近くの前記重量測定センサにより過去に測定した信号の大きさ、
が、前記目標レベルよりも高い場合に、前記信号の大きさが前記目標レベルを上回る分に比例した量だけ前記第１のサンプル流量及び／又は前記第１のサンプル流量継続時間を減少させて、前記信号の大きさを前記目標レベルに維持することと、
を行うステップと、
を含む、方法。
【請求項３】
航空機空気汚染物質を決定して種類により分類する方法であって、
（ａ）航空機空気を航空機空気汚染物質分析装置の入口並びに流通加熱ブロック及び第１のバルブに通過させるステップであって、前記流通加熱ブロックが、当該流通加熱ブロックを通過する前記航空機空気の温度を制御するように構成され、前記航空機空気のサンプルを第１のサンプル流量及び／又は第１のサンプル流量継続時間で第１のサンプル流路に沿って前記航空機空気汚染物質分析装置並びに少なくとも１つの航空機空気汚染物質収集器及び第２のバルブに通過させる一方、航空機空気の別のサンプルを第２のサンプル流量及び／又は第２のサンプル流量継続時間で前記少なくとも１つの航空機空気汚染物質収集器を迂回する第２のサンプル流路に沿って前記航空機空気汚染物質分析装置並びにバイパス部及び第３のバルブに通過させる、ステップであり、前記少なくとも１つの航空機空気汚染物質収集器が、
（ｉ）前記第１のサンプル流路を横切って配置された微細多孔質流通チャネルを備え、化学選択的被膜を有する微細多孔質媒体と、
（ｉｉ）捕捉された空気汚染物質を蒸発させる温度まで加熱可能な薄膜抵抗性加熱器であり、前記微細多孔質媒体と接触した、薄膜抵抗性加熱器と、
を備え、前記航空機空気汚染物質分析装置が、空気汚染物質の塊が重量測定センサに追加又は重量測定センサから除去された場合に、比例共振周波数応答を生成して、空気汚染物質の種類を分類するように構成された重量測定センサをさらに具備しており、前記バイパス部が、前記第２のサンプル流路を含むバイパスチャネルを備え、
（ａ’）前記航空機空気汚染物質分析装置が、
前記第１のサンプル流路及び前記第２のサンプル流路に沿った流れを生成するポンプと、
前記第１のバルブ、前記第２のバルブ、及び前記第３のバルブ間に配置された圧力センサと、
前記流通加熱ブロック中の温度を測定するように構成された温度センサと、
をさらに備えた、ステップと、
（ｂ）前記第１のサンプル流路に沿って、前記少なくとも１つの航空機空気汚染物質収集器を通る前記第１のサンプル流量及び／又は前記第１のサンプル流量継続時間を制御する一方、前記第２のサンプル流路に沿って、前記バイパス部を通る前記第２のサンプル流量及び／又は前記第２のサンプル流量継続時間を独立して制御するステップであり、前記第１のサンプル流量及び／又は前記第１のサンプル流量継続時間が最初は、応答信号の大きさの第１の測定用の低い値に設定された、ステップと、
（ｃ）前記微細多孔質媒体により空気汚染物質を捕捉するステップと、
（ｄ）前記第１のバルブ及び前記第２のバルブを閉じ、前記圧力センサからの信号に基づいて所望の圧力に達した場合、前記第３のバルブを閉じるとともに、前記第１のサンプル流路に沿った前記少なくとも１つの航空機空気汚染物質収集器への航空機空気の通過を中断するステップと、
（ｅ）前記捕捉した空気汚染物質を蒸発させて脱着させるのに十分な温度まで前記微細多孔質媒体を加熱するステップと、
（ｆ）空気汚染物質の塊が前記重量測定センサに追加又は前記重量測定センサから除去された場合に比例共振周波数応答を生成するように構成された前記重量測定センサにおいて、前記脱着された空気汚染物質を受容するステップと、
（ｇ）前記空気汚染物質が前記重量測定センサに追加又は前記重量測定センサから除去された場合に前記重量測定センサにより生成された前記比例共振周波数応答を測定し、前記比例共振周波数応答から信号の大きさを決定し、前記空気汚染物質の濃度を決定し、前記空気汚染物質の種類を分類し、前記決定した空気汚染物質の濃度及び分類した空気汚染物質の種類を出力するステップと、
（ｈ）コンピュータ可読媒体に格納され、前記測定した信号の大きさ並びに前記第１のサンプル流路に沿った前記第１のサンプル流量及び前記第１のサンプル流量継続時間を用いて、空気汚染物質の濃度を計算することを含む空気汚染物質認識プログラムを実行するステップと、
（ｉ）前記第１のバルブ、前記第２のバルブ、及び前記第３のバルブを開くステップと、
（ｊ）前記汚染物質の種類について、前記信号の大きさの上側閾値及び下側閾値を決定し、（ｂ）〜（ｉ）を継続的に繰り返して、応答信号の大きさを測定するとともに、過去に測定した信号の大きさに基づいて、前記第１のサンプル流量及び／又は前記第１のサンプル流量継続時間を調整することにより、
前記信号の大きさが前記下側閾値よりも低い場合に、次の所定の高感度レベルまで前記第１のサンプル流量及び／又は前記第１のサンプル流量継続時間を増大させて、前記信号の大きさを前記上側閾値と前記下側閾値との間に維持することと、
前記信号の大きさが前記上側閾値よりも高い場合に、次の所定の低感度レベルまで前記第１のサンプル流量及び／又は前記第１のサンプル流量継続時間を減少させて、前記信号の大きさを前記上側閾値と前記下側閾値との間に維持することと、
を行うステップと、
（ｋ）前記コンピュータ可読媒体に格納され、前記測定した信号の大きさ並びに前記第１のサンプル流路に沿った前記第１のサンプル流量及び前記第１のサンプル流量継続時間を用いて、空気汚染物質の濃度を計算することを含む前記空気汚染物質認識プログラムを実行するステップと、
（ｌ）前記決定した空気汚染物質の濃度及び空気汚染物質の種類を出力するステップと、
を含む、方法。
【請求項４】
航空機空気汚染物質を決定して種類により分類する方法であって、
（ａ）航空機空気を航空機空気汚染物質分析装置の入口並びに流通加熱ブロック及び第１のバルブに通過させるステップで、前記流通加熱ブロックが、当該流通加熱ブロックを通過する前記航空機空気の温度を制御するように構成された、ステップであり、
（ａ’）前記航空機空気汚染物質分析装置が、
少なくとも１つの第１の航空機空気汚染物質収集器及び第２の航空機空気汚染物質収集器と、
第１のサンプル部分流路及び第２のサンプル部分流路を含む第１のサンプル流路であり、前記第１の航空機空気汚染物質収集器が、前記第１のサンプル部分流路に沿って配置され、前記航空機空気汚染物質分析装置が、前記第１のサンプル部分流路と連通した第１の可調整流量制御器を具備しており、前記第２の航空機空気汚染物質収集器が、前記第２のサンプル部分流路に沿って配置され、前記航空機空気汚染物質分析装置が、前記第２のサンプル部分流路と連通した第２の可調整流量制御器を具備しており、前記航空機空気汚染物質分析装置が、前記第１のサンプル部分流路及び前記第２のサンプル部分流路の下流に配置された第２のバルブを具備した、第１のサンプル流路と、
前記第１の航空機空気汚染物質収集器及び前記第１のサンプル部分流路を迂回するとともに前記第２の航空機空気汚染物質収集器及び前記第２のサンプル部分流路を迂回するバイパスサンプル流路を提供するとともに、前記バイパスサンプル流路を含むバイパスチャネルを備えたバイパス部であり、前記航空機空気汚染物質分析装置が、前記バイパスサンプル流路の下流に配置された第３のバルブを具備しており、前記第１の航空機空気汚染物質収集器及び前記第２の航空機空気汚染物質収集器がそれぞれ別個に、
（ｉ）前記サンプル部分流路を横切って配置された微細多孔質流通チャネルを備え、化学選択的被膜を有する微細多孔質媒体と、
（ｉｉ）捕捉された空気汚染物質を蒸発させる温度まで加熱可能な薄膜抵抗性加熱器であり、前記微細多孔質媒体と接触した、薄膜抵抗性加熱器と、
を備え、前記航空機空気汚染物質分析装置が、各微細多孔質媒体の近くに配置され、空気汚染物質の塊が重量測定センサに追加又は重量測定センサから除去された場合に、比例共振周波数応答を生成して、空気汚染物質の種類を分類する重量測定センサをさらに具備した、バイパス部と、
を備え、
（ａ’’）前記航空機空気汚染物質分析装置が、
前記第１のサンプル部分流路、前記第２のサンプル部分流路、及び前記バイパスサンプル流路に沿った流れを生成するポンプと、
前記第１のバルブ、前記第２のバルブ、及び前記第３のバルブ間に配置された圧力センサと、
前記流通加熱ブロック中の温度を測定するように構成された温度センサと、
をさらに備えた、ステップと、
（ｂ）前記航空機空気の第１のサンプルを第１のサンプル流量及び第１のサンプル流量継続時間で前記第１のサンプル流路に沿って前記航空機空気汚染物質分析装置並びに前記第１及び第２の航空機空気汚染物質収集器及び前記第２のバルブに通過させるステップで、前記第１のサンプルの第１のサンプル部分を前記第１の航空機空気汚染物質収集器に通過させ、前記第１のサンプルの第２のサンプル部分を前記第２の航空機空気汚染物質収集器に通過させることを含む、ステップであり、前記航空機空気の前記第１のサンプル部分を第１のサンプル部分流量及び第１のサンプル部分流量継続時間で前記第１のサンプル部分流路に沿って通過させ、前記航空機空気の前記第２のサンプル部分を第２のサンプル部分流量及び前記第１のサンプル部分流量継続時間に等しい第２のサンプル部分流量継続時間で前記第２のサンプル部分流路に沿って通過させる一方、航空機空気の別のサンプルをバイパスサンプル流量及びバイパスサンプル流量継続時間で前記第１及び第２の航空機空気汚染物質収集器を迂回する前記バイパスサンプル流路に沿って前記航空機空気汚染物質分析装置並びに前記バイパス部及び第３のバルブに通過させる、ステップと、
（ｂ’）前記第１のサンプル部分流量及び前記第２のサンプル部分流量を調整することにより、
前記第１の航空機空気汚染物質収集器の測定信号の大きさが前記第２の航空機空気汚染物質収集器の測定信号の大きさを上回る場合に、前記第１の可調整流量制御器を調整することによって、前記第１のサンプル部分流量を減少させることと、
前記第２の航空機空気汚染物質収集器の測定信号の大きさが前記第１の航空機空気汚染物質収集器の測定信号の大きさを上回る場合に、前記第２の可調整流量制御器を調整することによって、前記第２のサンプル部分流量を減少させることと、
を行うステップと、
（ｃ）前記第１のサンプル部分流路に沿って、前記第１のサンプル流量及び／又は前記第１のサンプル流量継続時間を制御する一方、前記バイパスサンプル流路に沿って、前記バイパス部を通る前記バイパスサンプル流量及び／又は前記バイパスサンプル流量継続時間を独立して制御するステップであり、前記第１のサンプル流量及び／又は前記第１のサンプル流量継続時間が最初は、応答信号の大きさの初期測定用の低い値に設定された、ステップと、
（ｄ）各微細多孔質媒体により空気汚染物質を捕捉するステップと、
（ｅ）前記第１のバルブ及び前記第２のバルブを閉じ、前記圧力センサからの信号に基づいて所望の圧力に達した場合、前記第３のバルブを閉じるとともに、前記第１のサンプル部分流路及び前記第２のサンプル部分流路に沿った前記第１及び第２の航空機空気汚染物質収集器への航空機空気の通過を中断するステップと、
（ｆ）前記捕捉した空気汚染物質を蒸発させて脱着させるのに十分な温度まで各微細多孔質媒体を加熱するステップと、
（ｇ）空気汚染物質の塊が前記重量測定センサに追加又は前記重量測定センサから除去された場合に比例共振周波数応答を生成するように構成された各重量測定センサにおいて、前記脱着された空気汚染物質を受容するステップと、
（ｈ）前記空気汚染物質が前記重量測定センサに追加又は前記重量測定センサから除去された場合に各重量測定センサにより生成された比例共振周波数応答を測定し、前記比例共振周波数応答から信号の大きさを決定し、前記空気汚染物質の濃度を決定し、前記空気汚染物質の種類を分類し、前記決定した空気汚染物質の濃度及び分類した空気汚染物質の種類を出力するステップと、
（ｉ）コンピュータ可読媒体に格納され、前記測定した信号の大きさ並びに前記第１のサンプル流路に沿った前記第１のサンプル流量及び前記第１のサンプル部分流量継続時間を用いて、空気汚染物質の濃度を計算することを含む空気汚染物質認識プログラムを実行するステップと、
（ｊ）前記第１のバルブ、前記第２のバルブ、及び前記第３のバルブを開くステップと、
（ｋ）前記汚染物質の種類について、前記信号の大きさの上側閾値及び下側閾値を決定し、（ｄ）〜（ｊ）を継続的に繰り返して、応答信号の大きさを測定するとともに、前記第１のサンプル部分流量及び／又は前記第１のサンプル部分流量継続時間を調整することにより、
（ｉｖ）前記第１の航空機空気汚染物質収集器及び前記第２の航空機空気汚染物質収集器の近くの前記重量測定センサにより過去に測定した信号の大きさの平均、
（ｖ）前記第１の航空機空気汚染物質収集器の近くの前記重量測定センサにより過去に測定した信号の大きさ、又は
（ｖｉ）前記第２の航空機空気汚染物質収集器の近くの前記重量測定センサにより過去に測定した信号の大きさ、
が、前記下側閾値よりも低い場合に、次の所定の高感度レベルまで前記第１のサンプル流量及び／又は前記第１のサンプル流量継続時間を増大させて、前記信号の大きさを前記下側閾値と前記上側閾値との間に維持することと、
（ｖｉｉ）前記第１の航空機空気汚染物質収集器及び前記第２の航空機空気汚染物質収集器の近くの前記重量測定センサにより過去に測定した信号の大きさの平均、
（ｖｉｉｉ）前記第１の航空機空気汚染物質収集器の近くの前記重量測定センサにより過去に測定した信号の大きさ、又は
（ｉｘ）前記第２の航空機空気汚染物質収集器の近くの前記重量測定センサにより過去に測定した信号の大きさ、
が、前記上側閾値よりも高い場合に、次の所定の低感度レベルまで前記第１のサンプル部分流量及び／又は前記第１のサンプル部分流量継続時間を減少させて、前記信号の大きさを前記上側閾値と前記下側閾値との間に維持することと、
を行うステップと、
を含む、方法。
【請求項５】
前記ステップ（ｄ）が、前記ポンプの動作を停止させることを含む、請求項１又は３に記載の方法。
【請求項６】
前記ステップ（ｅ）が、前記ポンプの動作を停止させることを含む、請求項２又は４に記載の方法。
【請求項７】
前記空気汚染物質が、エアロゾルを含む、請求項１〜６のいずれか一項に記載の方法。
【請求項８】
前記空気汚染物質が、微粒子を含む、請求項１〜７のいずれか一項に記載の方法。
【請求項９】
前記空気汚染物質が、気体を含む、請求項１〜８のいずれか一項に記載の方法。
【請求項１０】
（ａ）少なくとも１つの航空機空気汚染物質収集器であって、
（ｉ）微細多孔質流通チャネル及び化学選択的被膜を備えた微細多孔質媒体であって、制御期間にわたって加熱されている間、機能を維持するとともに捕捉された空気汚染物質を脱着させる、微細多孔質媒体であり、当該少なくとも１つの航空機空気汚染物質収集器が、第１のサンプル流路を提供し、当該微細多孔質媒体が、前記第１のサンプル流路を横切って配置された、微細多孔質媒体と、
（ｉｉ）捕捉された空気汚染物質を蒸発させる温度まで加熱可能な薄膜抵抗性加熱器であり、前記微細多孔質媒体と接触した、薄膜抵抗性加熱器と、
を備えた、少なくとも１つの航空機空気汚染物質収集器と、
（ｂ）第２のサンプル流路を含み、前記少なくとも１つの航空機空気汚染物質収集器を迂回するバイパスチャネルを備えたバイパス部と、
（ｃ）上面及び下面を有する第１の基板であり、前記少なくとも１つの航空機空気汚染物質収集器が関連付けられ、前記微細多孔質媒体及び前記薄膜抵抗性加熱器が熱的に絶縁された、第１の基板と、
（ｄ）空気汚染物質の塊が重量測定センサに追加又は重量測定センサから除去された場合に、比例共振周波数応答を生成して、空気汚染物質の種類を分類するように構成された重量測定センサと、
（ｅ）上面及び下面を有する第２の基板であり、前記重量測定センサが前記上面と関連付けられ、前記重量測定センサが、一定距離だけ前記少なくとも１つの航空機空気汚染物質収集器から分離され、前記重量測定センサが、加熱された膜から脱着された空気汚染物質を受容するように構成された、第２の基板と、
（ｆ）上面及び下面を有する支持部であり、前記上面及び前記下面を通過する共通入口ポートを備え、前記第２の基板の前記下面が当該支持部の前記上面と関連付けられた、支持部と、
（ｇ）前記共通入口ポートの上流に配置された航空機空気汚染物質入口ポート、流通加熱ブロック、及び第１のバルブと、前記少なくとも１つの航空機空気汚染物質収集器の下流で、前記第１のサンプル流路に沿って配置された第２のバルブと、前記第２のサンプル流路に沿って配置された第３のバルブと、前記第１のサンプル流路及び前記第２のサンプル流路に沿った流れを生成するように構成されたポンプと、前記第１のバルブ、前記第２のバルブ、及び前記第３のバルブ間に配置された圧力センサと、前記流通加熱ブロック中の温度を測定するように構成された温度センサと、を備える航空機空気汚染物質分析装置と、
（ｈ）前記空気汚染物質が前記重量測定センサに追加又は前記重量測定センサから除去された場合に前記重量測定センサにより生成された前記比例共振周波数応答を測定するように構成された共振周波数測定装置と、
（ｉ）空気汚染物質認識プログラム及び校正データを有するコンピュータ可読媒体と、
（ｊ）前記空気汚染物質を種類により分類するとともに、前記重量測定センサにより生成された前記比例共振周波数応答からの応答信号の大きさを測定するように構成されたモジュールと、前記信号の大きさとの比較に前記校正データを用いて、空気汚染物質の濃度を計算するようにプログラムされたモジュールと、を含む前記空気汚染物質認識プログラムを実行することと、
前記第１のバルブ、前記第２のバルブ、及び／若しくは前記第３のバルブ、並びに／又は前記ポンプを制御して、
前記信号の大きさが所定の目標レベル又は所定の下側閾値を下回る場合に、第１のサンプル流量及び／又は第１のサンプル流量継続時間を増大させることと、
前記比例共振周波数応答が前記所定の目標レベル又は所定の上側閾値を上回る場合に、前記第１のサンプル流量及び／又は前記第１のサンプル流量継続時間を減少させることと、
を行うことにより、前記信号の大きさを前記所定の目標レベル又は前記所定の上側閾値と前記所定の下側閾値との範囲内に維持するように構成されたモジュールを含む感度制御プログラムを実行することと、
を行うように構成されたプロセッサと、
を備えた航空機空気汚染物質分析装置。
【請求項１１】
当該航空機空気汚染物質分析装置が、第１の航空機空気汚染物質収集器及び第２の航空機空気汚染物質収集器を備えるように、付加的な航空機空気汚染物質収集器をさらに備え、
前記第１のサンプル流路が、第１のサンプル部分流路及び第２のサンプル部分流路を含み、
前記第１の航空機空気汚染物質収集器が、前記第１のサンプル部分流路に沿って配置され、当該航空機空気汚染物質分析装置が、前記第１のサンプル部分流路と連通した第１の可調整流量制御器を具備しており、
前記第２の航空機空気汚染物質収集器が、前記第２のサンプル部分流路に沿って配置され、当該航空機空気汚染物質分析装置が、前記第２のサンプル部分流路と連通した第２の可調整流量制御器を具備しており、
当該航空機空気汚染物質分析装置が、前記第１のサンプル部分流路及び前記第２のサンプル部分流路の下流に配置された前記第２のバルブを具備しており、
前記第２のサンプル流路を提供する前記バイパス部が、前記第１の航空機空気汚染物質収集器及び前記第１のサンプル部分流路を迂回するとともに前記第２の航空機空気汚染物質収集器及び前記第２のサンプル部分流路を迂回し、前記第３のバルブが、前記第２のサンプル流路の下流に配置されており、
前記第１の航空機空気汚染物質収集器及び前記第２の航空機空気汚染物質収集器がそれぞれ別個に、
（ｉ）前記サンプル部分流路を横切って配置された微細多孔質流通チャネルを備え、化学選択的被膜を有する微細多孔質媒体と、
（ｉｉ）捕捉された空気汚染物質を蒸発させる温度まで加熱可能な薄膜抵抗性加熱器であり、前記微細多孔質媒体と接触した、薄膜抵抗性加熱器と、
を備え、
当該航空機空気汚染物質分析装置が、各航空機空気汚染物質収集器の近くに配置され、空気汚染物質の塊が重量測定センサに追加又は重量測定センサから除去された場合に、比例共振周波数応答を生成して、空気汚染物質の種類を分類する重量測定センサをさらに具備しており、
前記ポンプが、前記第１のサンプル部分流路、前記第２のサンプル部分流路、及び前記第２のサンプル流路に沿った流れを生成し、
前記空気汚染物質認識プログラムが、各航空機空気汚染物質収集器の近くの前記重量測定センサにより生成された前記比例共振周波数応答からの応答信号の大きさを測定するように構成されたモジュールと、一方又は両方の信号の大きさを用いて空気汚染物質の濃度を計算するモジュールと、を含み、
前記感度制御プログラムが、前記第１のバルブ、前記第２のバルブ、及び／若しくは前記第３のバルブ、並びに／又は前記ポンプを制御して、
前記信号の大きさが所定の目標レベル又は所定の下側閾値を下回る場合に、前記第１のサンプル流量及び／又は前記第１のサンプル流量継続時間を増大させることと、
前記信号の大きさが前記所定の目標レベル又は所定の上側閾値を上回る場合に、前記第１のサンプル流量及び／又は前記第１のサンプル流量継続時間を減少させることと、
を行うことにより、
前記第１の航空機空気汚染物質収集器及び前記第２の航空機空気汚染物質収集器の近くの前記重量測定センサにより過去に測定した信号の大きさの平均、
前記第１の航空機空気汚染物質収集器の近くの前記重量測定センサにより過去に測定した信号の大きさ、又は
前記第２の航空機空気汚染物質収集器の近くの前記重量測定センサにより過去に測定した信号の大きさ、
を前記所定の目標レベル又は前記所定の上側閾値と前記所定の下側閾値との範囲内に維持するように構成されたモジュールを含む、請求項１０に記載の航空機空気汚染物質分析装置。
【発明の詳細な説明】
【発明の背景】
【０００１】
[0001]航空機のキャビン／コックピットにおける空気等の気体中には、飛行中及び／又は地上運転中、タービンエンジンオイル及び油圧流体等の汚染物質が存在し得る。特定の汚染物質がエアロゾルの形態、微粒子の形態、及び／又は気体の形態で存在する可能性があり、汚染物質の量は、数桁にもわたって大幅に変動し、センサへの付着及び／又はセンサ応答の遅延が発生し得る。複数の汚染物質が存在する場合は、量が異なるため、（他の汚染物質よりも高濃度又は低濃度で存在する）特定の汚染物質が検出される一方、他の汚染物質は検出されない。健康及び／若しくは機器の保護、誤りの検出、並びに汚染の発生源若しくは原因の識別支援のため、汚染の組成又は種類の検出及び識別が必要となることが多い。汚染の検出及び識別が不可能な場合は、到着地の変更、欠航、又は緊急着陸によって、乗客及び乗員の安全を確保することが必要となる場合があり、控えめに見ても不都合でコストが上昇する。
【０００２】
[0002]改良された検出方法及び検出システムが求められている。本発明は、従来技術の不都合の少なくとも一部を改善可能にする。本発明の上記及び他の利点については、以下に記載の説明から明らかとなるであろう。
【発明の概要】
【０００３】
[0003]本発明の一実施形態は、航空機空気汚染物質を決定して（すなわち特定して）種類により分類する方法であって、（ａ）航空機空気を航空機空気汚染物質分析装置の入口並びに流通加熱ブロック及び第１のバルブに通過させるステップであって、流通加熱ブロックが、当該流通加熱ブロックを通過する航空機空気の温度を制御するように構成され、航空機空気のサンプルを第１のサンプル流量及び／又は第１のサンプル流量継続時間で第１のサンプル流路に沿って航空機空気汚染物質分析装置並びに少なくとも１つの航空機空気汚染物質収集器及び第２のバルブに通過させる一方、航空機空気の別のサンプルを第２のサンプル流量及び／又は第２のサンプル流量継続時間で少なくとも１つの航空機空気汚染物質収集器を迂回する第２のサンプル流路に沿って航空機空気汚染物質分析装置並びにバイパス部及び第３のバルブに通過させる、ステップであり、少なくとも１つの航空機空気汚染物質収集器が、（ｉ）第１のサンプル流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、航空機空気汚染物質分析装置が、重量測定センサであって、空気汚染物質の塊が重量測定センサに追加又は重量測定センサから除去された場合に、比例共振周波数応答を生成して、空気汚染物質の種類を分類するように構成された重量測定センサをさらに具備しており、バイパス部が、第２のサンプル流路を含むバイパスチャネルを備え、（ａ’）航空機空気汚染物質分析装置が、第１のサンプル流路及び第２のサンプル流路に沿った流れを生成するポンプと、第１のバルブ、第２のバルブ、及び第３のバルブ間に配置された圧力センサと、流通加熱ブロック中の温度を測定するように構成された温度センサと、をさらに備えた、ステップと、（ｂ）第１のサンプル流路に沿って、少なくとも１つの航空機空気汚染物質収集器を通る第１のサンプル流量及び／又は第１のサンプル流量継続時間を制御する一方、第２のサンプル流路に沿って、バイパス部を通る第２のサンプル流量及び／又は第２のサンプル流量継続時間を独立して制御するステップであり、第１のサンプル流量及び／又は第１のサンプル流量継続時間が最初は、応答信号の大きさの第１の測定用の低い値に設定された、ステップと、（ｃ）微細多孔質媒体により空気汚染物質を捕捉するステップと、（ｄ）第１のバルブ及び第２のバルブを閉じ、圧力センサからの信号に基づいて所望の圧力に達した場合、第３のバルブを閉じるとともに、第１のサンプル流路に沿った少なくとも１つの航空機空気汚染物質収集器への航空機空気の通過を中断するステップと、（ｅ）捕捉した空気汚染物質を蒸発させて脱着させるのに十分な温度まで微細多孔質媒体を加熱するステップと、（ｆ）空気汚染物質の塊が重量測定センサに追加又は重量測定センサから除去された場合に比例共振周波数応答を生成するように構成された重量測定センサにおいて、脱着された空気汚染物質を受容するステップと、（ｇ）空気汚染物質が重量測定センサに追加又は重量測定センサから除去された場合に重量測定センサにより生成された比例共振周波数応答を測定し、空気汚染物質の濃度を決定し、空気汚染物質の種類を分類し、決定した空気汚染物質の濃度及び分類した空気汚染物質の種類を出力するステップと、（ｈ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｉ）第１のバルブ、第２のバルブ、及び第３のバルブを開くステップと、（ｊ）（ｂ）〜（ｉ）を継続的に繰り返して、応答信号の大きさを測定するとともに、過去に測定した信号の大きさに基づいて、第１のサンプル流量及び／又は第１のサンプル流量継続時間を調整することにより、信号の大きさが目標レベルよりも低い場合に、信号の大きさが目標レベルを下回る分に比例した量だけ第１のサンプル流量及び／又は第１のサンプル流量継続時間を増大させて、信号の大きさを目標レベルに維持することと、信号の大きさが目標レベルよりも高い場合に、信号の大きさが目標レベルを上回る分に比例した量だけ第１のサンプル流量及び／又は第１のサンプル流量継続時間を減少させて、信号の大きさを目標レベルに維持することと、を行うステップと、（ｋ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｌ）決定した空気汚染物質の濃度及び空気汚染物質の種類を出力するステップと、を含む、方法を提供する。
【０００４】
[0004]本発明の別の実施形態は、航空機空気汚染物質を決定して種類により分類する方法であって、（ａ）航空機空気を航空機空気汚染物質分析装置の入口並びに流通加熱ブロック及び第１のバルブに通過させるステップであって、流通加熱ブロックが、当該流通加熱ブロックを通過する航空機空気の温度を制御するように構成された、ステップであり、（ａ’）航空機空気汚染物質分析装置が、少なくとも１つの第１の航空機空気汚染物質収集器及び第２の航空機空気汚染物質収集器と、第１のサンプル部分流路及び第２のサンプル部分流路を含む第１のサンプル流路であり、第１の航空機空気汚染物質収集器が、第１のサンプル部分流路に沿って配置され、航空機空気汚染物質分析装置が、第１のサンプル部分流路と連通した第１の可調整流量制御器を具備しており、第２の航空機空気汚染物質収集器が、第２のサンプル部分流路に沿って配置され、航空機空気汚染物質分析装置が、第２のサンプル部分流路と連通した第２の可調整流量制御器を具備しており、航空機空気汚染物質分析装置が、第１のサンプル部分流路及び第２のサンプル部分流路の下流に配置された第２のバルブを具備した、第１のサンプル流路と、第１の航空機空気汚染物質収集器及び第１のサンプル部分流路を迂回するとともに第２の航空機空気汚染物質収集器及び第２のサンプル部分流路を迂回するバイパスサンプル流路を提供するとともに、バイパスサンプル流路を含むバイパスチャネルを備えたバイパス部であり、航空機空気汚染物質分析装置が、バイパスサンプル流路の下流に配置された第３のバルブを具備しており、第１の航空機空気汚染物質収集器及び第２の航空機空気汚染物質収集器がそれぞれ別個に、（ｉ）サンプル部分流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、航空機空気汚染物質分析装置が、空気汚染物質の塊が重量測定センサに追加又は重量測定センサから除去された場合に、比例共振周波数応答を生成して、空気汚染物質の種類を分類するように構成された各重量測定センサを第１の航空機空気汚染物質収集器及び第２の航空機空気汚染物質収集器それぞれの近くにさらに具備した、バイパス部と、を備え、（ａ’’）航空機空気汚染物質分析装置が、第１のサンプル部分流路、第２のサンプル部分流路、及びバイパスサンプル流路に沿った流れを生成するポンプと、第１のバルブ、第２のバルブ、及び第３のバルブ間に配置された圧力センサと、流通加熱ブロック中の温度を測定するように構成された温度センサと、をさらに備えた、ステップと、（ｂ）航空機空気の第１のサンプルを第１のサンプル流量及び第１のサンプル流量継続時間で第１のサンプル流路に沿って航空機空気汚染物質分析装置並びに第１及び第２の航空機空気汚染物質収集器及び第２のバルブに通過させるステップであって、第１のサンプルの第１のサンプル部分を第１の航空機空気汚染物質収集器に通過させ、第１のサンプルの第２のサンプル部分を第２の航空機空気汚染物質収集器に通過させることを含む、ステップであり、航空機空気の第１のサンプル部分を第１のサンプル部分流量及び第１のサンプル部分流量継続時間で第１のサンプル部分流路に沿って通過させ、航空機空気の第２のサンプル部分を第２のサンプル部分流量及び第１のサンプル部分流量継続時間に等しい第２のサンプル部分流量継続時間で第２のサンプル部分流路に沿って通過させる一方、航空機空気の別のサンプルをバイパスサンプル流量及びバイパスサンプル流量継続時間で第１及び第２の航空機空気汚染物質収集器を迂回するバイパスサンプル流路に沿って航空機空気汚染物質分析装置並びにバイパス部及び第３のバルブに通過させる、ステップと、（ｂ’）第１のサンプル部分流量及び第２のサンプル部分流量を調整することにより、第１の航空機空気汚染物質収集器の測定信号の大きさが第２の航空機空気汚染物質収集器の測定信号の大きさを上回る場合に、第１の可調整流量制御器を調整することによって、第１のサンプル部分流量を減少させることと、第２の航空機空気汚染物質収集器の測定信号の大きさが第１の航空機空気汚染物質収集器の測定信号の大きさを上回る場合に、第２の可調整流量制御器を調整することによって、第２のサンプル部分流量を減少させることと、を行うステップと、（ｃ）第１のサンプル部分流路に沿って、第１のサンプル流量及び／又は第１のサンプル流量継続時間を制御する一方、バイパスサンプル流路に沿って、バイパス部を通るバイパスサンプル流量及び／又はバイパスサンプル流量継続時間を独立して制御するステップであり、第１のサンプル流量及び／又は第１のサンプル流量継続時間が最初は、応答信号の大きさの初期測定用の低い値に設定された、ステップと、（ｄ）各微細多孔質媒体により空気汚染物質を捕捉するステップと、（ｅ）第１のバルブ及び第２のバルブを閉じ、圧力センサからの信号に基づいて所望の圧力に達した場合、第３のバルブを閉じるとともに、第１のサンプル部分流路及び第２のサンプル部分流路に沿った第１及び第２の航空機空気汚染物質収集器への航空機空気の通過を中断するステップと、（ｆ）捕捉した空気汚染物質を蒸発させて脱着させるのに十分な温度まで各微細多孔質媒体を加熱するステップと、（ｇ）空気汚染物質の塊が重量測定センサに追加又は重量測定センサから除去された場合に比例共振周波数応答を生成するように構成された各重量測定センサにおいて、脱着された空気汚染物質を受容するステップと、（ｈ）空気汚染物質が重量測定センサに追加又は重量測定センサから除去された場合に各重量測定センサにより生成された比例共振周波数応答を測定し、比例共振周波数応答から信号の大きさを決定し、空気汚染物質の濃度を決定し、空気汚染物質の種類を分類し、決定した空気汚染物質の濃度及び分類した空気汚染物質の種類を出力するステップと、（ｉ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｊ）第１のバルブ、第２のバルブ、及び第３のバルブを開くステップと、（ｋ）信号の大きさの目標レベルを決定し、（ｄ）〜（ｊ）を継続的に繰り返して、応答信号の大きさを測定するとともに、第１のサンプル流量及び／又は第１のサンプル流量継続時間を調整することにより、（ｉｖ）第１の航空機空気汚染物質収集器及び第２の航空機空気汚染物質収集器の近くの重量測定センサにより過去に測定した信号の大きさの平均、（ｖ）第１の航空機空気汚染物質収集器の近くの重量測定センサにより過去に測定した信号の大きさ、又は（ｖｉ）第２の航空機空気汚染物質収集器の近くの重量測定センサにより過去に測定した信号の大きさ、が、目標レベルよりも低い場合に、測定信号の大きさが目標レベルを下回る分に比例した量だけ第１のサンプル流量及び／又は第１のサンプル流量継続時間を増大させて、信号の大きさを目標レベルに維持することと、（ｖｉｉ）第１の航空機空気汚染物質収集器及び第２の航空機空気汚染物質収集器の近くの重量測定センサにより過去に測定した信号の大きさの平均、（ｖｉｉｉ）第１の航空機空気汚染物質収集器の近くの重量測定センサにより過去に測定した信号の大きさ、又は（ｉｘ）第２の航空機空気汚染物質収集器の近くの重量測定センサにより過去に測定した信号の大きさ、が、目標レベルよりも高い場合に、信号の大きさが目標レベルを上回る分に比例した量だけ第１のサンプル流量及び／又は第１のサンプル流量継続時間を減少させて、信号の大きさを目標レベルに維持することと、を行うステップと、を含む、方法を提供する。
【０００５】
[0005]本発明のさらに別の実施形態は、航空機空気汚染物質を決定して種類により分類する方法であって、（ａ）航空機空気を航空機空気汚染物質分析装置の入口並びに流通加熱ブロック及び第１のバルブに通過させるステップであって、流通加熱ブロックが、当該流通加熱ブロックを通過する航空機空気の温度を制御するように構成され、航空機空気のサンプルを第１のサンプル流量及び／又は第１のサンプル流量継続時間で第１のサンプル流路に沿って航空機空気汚染物質分析装置並びに少なくとも１つの航空機空気汚染物質収集器及び第２のバルブに通過させる一方、航空機空気の別のサンプルを第２のサンプル流量及び／又は第２のサンプル流量継続時間で少なくとも１つの航空機空気汚染物質収集器を迂回する第２のサンプル流路に沿って航空機空気汚染物質分析装置並びにバイパス部及び第３のバルブに通過させる、ステップであり、少なくとも１つの航空機空気汚染物質収集器が、（ｉ）第１のサンプル流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、航空機空気汚染物質分析装置が、空気汚染物質の塊が重量測定センサに追加又は重量測定センサから除去された場合に、比例共振周波数応答を生成して、空気汚染物質の種類を分類するように構成された重量測定センサをさらに具備しており、バイパス部が、第２のサンプル流路を含むバイパスチャネルを備え、（ａ’）航空機空気汚染物質分析装置が、第１のサンプル流路及び第２のサンプル流路に沿った流れを生成するポンプと、第１のバルブ、第２のバルブ、及び第３のバルブ間に配置された圧力センサと、流通加熱ブロック中の温度を測定するように構成された温度センサと、をさらに備えた、ステップと、（ｂ）第１のサンプル流路に沿って、少なくとも１つの航空機空気汚染物質収集器を通る第１のサンプル流量及び／又は第１のサンプル流量継続時間を制御する一方、第２のサンプル流路に沿って、バイパス部を通る第２のサンプル流量及び／又は第２のサンプル流量継続時間を独立して制御するステップであり、第１のサンプル流量及び／又は第１のサンプル流量継続時間が最初は、応答信号の大きさの第１の測定用の低い値に設定された、ステップと、（ｃ）微細多孔質媒体により空気汚染物質を捕捉するステップと、（ｄ）第１のバルブ及び第２のバルブを閉じ、圧力センサからの信号に基づいて所望の圧力に達した場合、第３のバルブを閉じるとともに、第１のサンプル流路に沿った少なくとも１つの航空機空気汚染物質収集器への航空機空気の通過を中断するステップと、（ｅ）捕捉した空気汚染物質を蒸発させて脱着させるのに十分な温度まで微細多孔質媒体を加熱するステップと、（ｆ）空気汚染物質の塊が重量測定センサに追加又は重量測定センサから除去された場合に比例共振周波数応答を生成するように構成された重量測定センサにおいて、脱着された空気汚染物質を受容するステップと、（ｇ）空気汚染物質が重量測定センサに追加又は重量測定センサから除去された場合に重量測定センサにより生成された比例共振周波数応答を測定し、比例共振周波数応答から信号の大きさを決定し、空気汚染物質の濃度を決定し、空気汚染物質の種類を分類し、決定した空気汚染物質の濃度及び分類した空気汚染物質の種類を出力するステップと、（ｈ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｉ）第１のバルブ、第２のバルブ、及び第３のバルブを開くステップと、（ｊ）汚染物質の種類について、信号の大きさの上側閾値及び下側閾値を決定し、（ｂ）〜（ｉ）を継続的に繰り返して、応答信号の大きさを測定するとともに、過去に測定した信号の大きさに基づいて、第１のサンプル流量及び／又は第１のサンプル流量継続時間を調整することにより、信号の大きさが下側閾値よりも低い場合に、次の所定の高感度レベルまで第１のサンプル流量及び／又は第１のサンプル流量継続時間を増大させて、信号の大きさを上側閾値と下側閾値との間に維持することと、信号の大きさが上側閾値よりも高い場合に、次の所定の低感度レベルまで第１のサンプル流量及び／又は第１のサンプル流量継続時間を減少させて、信号の大きさを上側閾値と下側閾値との間に維持することと、を行うステップと、（ｋ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｌ）決定した空気汚染物質の濃度及び空気汚染物質の種類を出力するステップと、を含む、方法を提供する。
【０００６】
[0006]本発明のさらに別の実施形態は、航空機空気汚染物質を決定して種類により分類する方法であって、（ａ）航空機空気を航空機空気汚染物質分析装置の入口並びに流通加熱ブロック及び第１のバルブに通過させるステップであって、流通加熱ブロックが、当該流通加熱ブロックを通過する航空機空気の温度を制御するように構成された、ステップであり、（ａ’）航空機空気汚染物質分析装置が、少なくとも１つの第１の航空機空気汚染物質収集器及び第２の航空機空気汚染物質収集器と、第１のサンプル部分流路及び第２のサンプル部分流路を含む第１のサンプル流路であり、第１の航空機空気汚染物質収集器が、第１のサンプル部分流路に沿って配置され、航空機空気汚染物質分析装置が、第１のサンプル部分流路と連通した第１の可調整流量制御器を具備しており、第２の航空機空気汚染物質収集器が、第２のサンプル部分流路に沿って配置され、航空機空気汚染物質分析装置が、第２のサンプル部分流路と連通した第２の可調整流量制御器を具備しており、航空機空気汚染物質分析装置が、第１のサンプル部分流路及び第２のサンプル部分流路の下流に配置された第２のバルブを具備した、第１のサンプル流路と、第１の航空機空気汚染物質収集器及び第１のサンプル部分流路を迂回するとともに第２の航空機空気汚染物質収集器及び第２のサンプル部分流路を迂回するバイパスサンプル流路を提供するとともに、バイパスサンプル流路を含むバイパスチャネルを備えたバイパス部であり、航空機空気汚染物質分析装置が、バイパスサンプル流路の下流に配置された第３のバルブを具備しており、第１の航空機空気汚染物質収集器及び第２の航空機空気汚染物質収集器がそれぞれ別個に、（ｉ）サンプル部分流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、航空機空気汚染物質分析装置が、空気汚染物質の塊が重量測定センサに追加又は重量測定センサから除去された場合に、比例共振周波数応答を生成して、空気汚染物質の種類を分類するように構成された各重量測定センサを第１の航空機空気汚染物質収集器及び第２の航空機空気汚染物質収集器の近くにさらに具備した、バイパス部と、を備え、（ａ’’）航空機空気汚染物質分析装置が、第１のサンプル部分流路、第２のサンプル部分流路、及びバイパスサンプル流路に沿った流れを生成するポンプと、第１のバルブ、第２のバルブ、及び第３のバルブ間に配置された圧力センサと、流通加熱ブロック中の温度を測定するように構成された温度センサと、をさらに備えた、ステップと、（ｂ）航空機空気の第１のサンプルを第１のサンプル流量及び第１のサンプル流量継続時間で第１のサンプル流路に沿って航空機空気汚染物質分析装置並びに第１及び第２の航空機空気汚染物質収集器及び第２のバルブに通過させるステップであって、第１のサンプルの第１のサンプル部分を第１の航空機空気汚染物質収集器に通過させ、第１のサンプルの第２のサンプル部分を第２の航空機空気汚染物質収集器に通過させることを含む、ステップであり、航空機空気の第１のサンプル部分を第１のサンプル部分流量及び第１のサンプル部分流量継続時間で第１のサンプル部分流路に沿って通過させ、航空機空気の第２のサンプル部分を第２のサンプル部分流量及び第１のサンプル部分流量継続時間に等しい第２のサンプル部分流量継続時間で第２のサンプル部分流路に沿って通過させる一方、航空機空気の別のサンプルをバイパスサンプル流量及びバイパスサンプル流量継続時間で第１及び第２の航空機空気汚染物質収集器を迂回するバイパスサンプル流路に沿って航空機空気汚染物質分析装置並びにバイパス部及び第３のバルブに通過させる、ステップと、（ｂ’）第１のサンプル部分流量及び第２のサンプル部分流量を調整することにより、第１の航空機空気汚染物質収集器の測定信号の大きさが第２の航空機空気汚染物質収集器の測定信号の大きさを上回る場合に、第１の可調整流量制御器を調整することによって、第１のサンプル部分流量を減少させることと、第２の航空機空気汚染物質収集器の測定信号の大きさが第１の航空機空気汚染物質収集器の測定信号の大きさを上回る場合に、第２の可調整流量制御器を調整することによって、第２のサンプル部分流量を減少させることと、を行うステップと、（ｃ）第１のサンプル部分流路に沿って、第１のサンプル流量及び／又は第１のサンプル流量継続時間を制御する一方、バイパスサンプル流路に沿って、バイパス部を通るバイパスサンプル流量及び／又はバイパスサンプル流量継続時間を独立して制御するステップであり、第１のサンプル流量及び／又は第１のサンプル流量継続時間が最初は、応答信号の大きさの初期測定用の低い値に設定された、ステップと、（ｄ）各微細多孔質媒体により空気汚染物質を捕捉するステップと、（ｅ）第１のバルブ及び第２のバルブを閉じ、圧力センサからの信号に基づいて所望の圧力に達した場合、第３のバルブを閉じるとともに、第１のサンプル部分流路及び第２のサンプル部分流路に沿った第１及び第２の航空機空気汚染物質収集器への航空機空気の通過を中断するステップと、（ｆ）捕捉した空気汚染物質を蒸発させて脱着させるのに十分な温度まで各微細多孔質媒体を加熱するステップと、（ｇ）空気汚染物質の塊が重量測定センサに追加又は重量測定センサから除去された場合に比例共振周波数応答を生成するように構成された各重量測定センサにおいて、脱着された空気汚染物質を受容するステップと、（ｈ）空気汚染物質が重量測定センサに追加又は重量測定センサから除去された場合に各重量測定センサにより生成された比例共振周波数応答を測定し、比例共振周波数応答から信号の大きさを決定し、空気汚染物質の濃度を決定し、空気汚染物質の種類を分類し、決定した空気汚染物質の濃度及び分類した空気汚染物質の種類を出力するステップと、（ｉ）コンピュータ可読媒体に格納され、測定した信号の大きさ並びに第１のサンプル流路に沿った第１のサンプル流量及び第１のサンプル部分流量継続時間を用いて、空気汚染物質の濃度を計算することを含む空気汚染物質認識プログラムを実行するステップと、（ｊ）第１のバルブ、第２のバルブ、及び第３のバルブを開くステップと、（ｋ）汚染物質の種類について、信号の大きさの上側閾値及び下側閾値を決定し、（ｄ）〜（ｊ）を継続的に繰り返して、応答信号の大きさを測定するとともに、第１のサンプル流量及び／又は第１のサンプル流量継続時間を調整することにより、（ｉｖ）第１の航空機空気汚染物質収集器及び第２の航空機空気汚染物質収集器の近くの重量測定センサにより過去に測定した信号の大きさの平均、（ｖ）第１の航空機空気汚染物質収集器の近くの重量測定センサにより過去に測定した信号の大きさ、又は（ｖｉ）第２の航空機空気汚染物質収集器の近くの重量測定センサにより過去に測定した信号の大きさ、が、下側閾値よりも低い場合に、次の所定の高感度レベルまで第１のサンプル流量及び／又は第１のサンプル流量継続時間を増大させて、信号の大きさを下側閾値と上側閾値との間に維持することと、（ｖｉｉ）第１の航空機空気汚染物質収集器及び第２の航空機空気汚染物質収集器の過去に測定した信号の大きさの平均、（ｖｉｉｉ）第１の航空機空気汚染物質収集器の過去に測定した信号の大きさ、又は（ｉｘ）第２の航空機空気汚染物質収集器の過去に測定した信号の大きさ、が、上側閾値よりも高い場合に、次の所定の低感度レベルまで第１のサンプル流量及び／又は第１のサンプル流量継続時間を減少させて、信号の大きさを上側閾値と下側閾値との間に維持することと、を行うステップと、を含む、方法を提供する。
【０００７】
[0007]別の実施形態においては、（ａ）少なくとも１つの航空機空気汚染物質収集器であり、（ｉ）微細多孔質流通チャネル及び化学選択的被膜を備えた微細多孔質媒体であって、制御期間にわたって加熱されている間、機能を維持するとともに捕捉された空気汚染物質を脱着させる、微細多孔質媒体であり、当該少なくとも１つの航空機空気汚染物質収集器が、第１のサンプル流路を提供し、当該微細多孔質媒体が、第１のサンプル流路を横切って配置された、微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備えた、少なくとも１つの航空機空気汚染物質収集器と、（ｂ）第２のサンプル流路を含み、少なくとも１つの航空機空気汚染物質収集器を迂回するバイパスチャネルを備えたバイパス部と、（ｃ）上面及び下面を有する第１の基板であり、少なくとも１つの航空機空気汚染物質収集器が関連付けられ、微細多孔質媒体及び薄膜抵抗性加熱器が熱的に絶縁された、第１の基板と、（ｄ）空気汚染物質の塊が重量測定センサに追加又は重量測定センサから除去された場合に、比例共振周波数応答を生成して、空気汚染物質の種類を分類するように構成された重量測定センサと、（ｅ）上面及び下面を有する第２の基板であり、重量測定センサが上面と関連付けられ、重量測定センサが、一定距離だけ少なくとも１つの航空機空気汚染物質収集器から分離され、重量測定センサが、加熱された膜から脱着された空気汚染物質を受容するように構成された、第２の基板と、（ｆ）上面及び下面を有する支持部であり、上面及び下面を通過する共通入口ポートを備え、第２の基板の下面が当該支持部の上面と関連付けられた、支持部と、共通入口ポートの上流に配置された航空機空気汚染物質入口ポート、流通加熱ブロック、及び第１のバルブと、少なくとも１つの航空機空気汚染物質収集器の下流で、第１のサンプル流路に沿って配置された第２のバルブと、第２のサンプル流路に沿って配置された第３のバルブと、第１のサンプル流路及び第２のサンプル流路に沿った流れを生成するように構成されたポンプと、第１のバルブ、第２のバルブ、及び第３のバルブ間に配置された圧力センサと、流通加熱ブロック中の温度を測定するように構成された温度センサとをさらに備え、（ｈ）空気汚染物質が重量測定センサに追加又は重量測定センサから除去された場合に重量測定センサにより生成された比例共振周波数応答を測定するように構成された共振周波数測定装置と、（ｉ）空気汚染物質認識プログラム及び校正データを有するコンピュータ可読媒体と、（ｊ）空気汚染物質を種類により分類するとともに、重量測定センサにより生成された比例共振周波数応答からの応答信号の大きさを測定するように構成されたモジュールと、信号の大きさとの比較に校正データを用いて、空気汚染物質の濃度を計算するようにプログラムされたモジュールと、を含む空気汚染物質認識プログラムを実行することと、第１のバルブ、第２のバルブ、及び／若しくは第３のバルブ、並びに／又はポンプを制御して、信号の大きさが所定の目標レベル又は所定の下側閾値を下回る場合に、第１のサンプル流量及び／又は第１のサンプル流量継続時間を増大させることと、比例共振周波数応答が所定の目標レベル又は所定の上側閾値を上回る場合に、第１のサンプル流量及び／又は第１のサンプル流量継続時間を減少させることと、を行うことにより、信号の大きさを所定の目標レベル又は所定の上側閾値と所定の下側閾値との範囲内に維持するように構成されたモジュールを含む感度制御プログラムを実行することと、を行うように構成されたプロセッサと、を備えた航空機空気汚染物質分析装置が提供される。
【０００８】
[0008]いくつかの実施形態において、航空機空気汚染物質分析装置は、当該航空機空気汚染物質分析装置が、第１の航空機空気汚染物質収集器及び第２の航空機空気汚染物質収集器を備えるように、付加的な航空機空気汚染物質収集器をさらに備え、第１のサンプル流路が、第１のサンプル部分流路及び第２のサンプル部分流路を含み、第１の航空機空気汚染物質収集器が、第１のサンプル部分流路に沿って配置され、当該航空機空気汚染物質分析装置が、第１のサンプル部分流路と連通した第１の可調整流量制御器を具備しており、第２の航空機空気汚染物質収集器が、第２のサンプル部分流路に沿って配置され、当該航空機空気汚染物質分析装置が、第２のサンプル部分流路と連通した第２の可調整流量制御器を具備しており、当該航空機空気汚染物質分析装置が、第１のサンプル部分流路及び第２のサンプル部分流路の下流に配置された第２のバルブを具備しており、第２のサンプル流路を提供するバイパス部が、第１の航空機空気汚染物質収集器及び第１のサンプル部分流路を迂回するとともに第２の航空機空気汚染物質収集器及び第２のサンプル部分流路を迂回し、第３のバルブが、第２のサンプル流路の下流に配置されており、第１の航空機空気汚染物質収集器及び第２の航空機空気汚染物質収集器がそれぞれ別個に、（ｉ）サンプル部分流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、当該航空機空気汚染物質分析装置が、各航空機空気汚染物質収集器の近くに配置され、空気汚染物質の塊が重量測定センサに追加又は重量測定センサから除去された場合に、比例共振周波数応答を生成して、空気汚染物質の種類を分類する重量測定センサをさらに具備しており、ポンプが、第１のサンプル部分流路、第２のサンプル部分流路、及び第２のサンプル流路に沿った流れを生成し、空気汚染物質認識プログラムが、各航空機空気汚染物質収集器の近くの重量測定センサにより生成された比例共振周波数応答からの応答信号の大きさを測定するように構成されたモジュールと、一方又は両方の信号の大きさを用いて空気汚染物質の濃度を計算するモジュールと、を含み、感度制御プログラムが、第１のバルブ、第２のバルブ、及び／若しくは第３のバルブ、並びに／又はポンプを制御して、信号の大きさが所定の目標レベル又は所定の下側閾値を下回る場合に、第１のサンプル流量及び／又は第１のサンプル流量継続時間を増大させることと、信号の大きさが所定の目標レベル又は所定の上側閾値を上回る場合に、第１のサンプル流量及び／又は第１のサンプル流量継続時間を減少させることと、を行うことにより、第１の航空機空気汚染物質収集器及び第２の航空機空気汚染物質収集器の近くの重量測定センサにより過去に測定した信号の大きさの平均、第１の航空機空気汚染物質収集器の近くの重量測定センサにより過去に測定した信号の大きさ、又は第２の航空機空気汚染物質収集器の近くの重量測定センサにより過去に測定した信号の大きさ、を所定の目標レベル又は所定の上側閾値と所定の下側閾値との範囲内に維持するように構成されたモジュールを含む。
【図面の簡単な説明】
【０００９】
【図１】本発明の一実施形態に係る、例示的な航空機空気汚染物質分析装置の２つの航空機空気収集器の上面図である。
【図２】本発明の一実施形態に係る、図１の線ＡＡに沿った例示的な航空機空気汚染物質分析装置であって、ポンプ及び２つの航空機空気汚染物質収集器の一方を備え、例示的な航空機空気汚染物質収集器が、微細多孔質流通チャネルと化学選択的被膜とを備えた微細多孔質媒体と、第１のサンプル部分流路に沿って設けられ、微細多孔質媒体と接触した加熱器と、を備え、当該航空機空気汚染物質分析装置が、重量測定センサと、航空機空気汚染物質収集器を迂回するバイパスサンプル流路を提供するバイパスチャネルを備えたバイパス部と、をさらに備え、ポンプが、第１のサンプル部分流路及びバイパスサンプル流路に沿ったサンプル流を生成する、例示的な航空機空気汚染物質分析装置を表した図である。
【図３】本発明の一実施形態に係る、図１の線ＢＢに沿った例示的な航空機空気汚染物質分析装置であって、ポンプ、２つの重量測定センサ、及び２つの航空機空気汚染物質収集器を備え、各航空機空気汚染物質収集器が、微細多孔質流通チャネル及び化学選択的被膜を備えた微細多孔質媒体と、第１のサンプル部分流路及び第２のサンプル部分流路に沿って設けられ、微細多孔質媒体と接触した加熱器と、を備え、ポンプが、第１のサンプル部分流路及び第２のサンプル部分流路に沿ったサンプル流を生成する、例示的な航空機空気汚染物質分析装置を表した図である。
【図４Ａ】図２の空気汚染物質収集器の一実施形態の上面図であって、微細多孔質膜、膜上の化学選択的被膜及び薄膜抵抗性加熱器、並びに基部及び微細多孔質膜を基部に接続するテザーを示した図である。
【図４Ｂ】図４Ａに示す空気汚染物質収集器の実施形態の一部の拡大図であって、微細多孔質膜を基部に接続するテザーを提供する基部中のチャネル、微細多孔質膜の上面と関連付けられた（微細多孔質膜の流通チャネルを囲む）テザー上の薄膜抵抗性加熱器、並びに電気配線及び化学選択的被膜を示しており、他の構成要素も見えるように被膜及び加熱器の一部だけを示した図である。
【図４Ｃ】微細多孔質膜の下面の拡大図であって、微細多孔質膜を基部に接続するテザーの下面を示した図である。
【図４Ｄ】被膜を備えた空気汚染物質収集器の一実施形態の断面図であって、加熱器及び絶縁層上の電気配線並びに微細多孔質膜の上面を構成する絶縁層を示した図である。
【図５】本発明の一実施形態に係る、航空機空気汚染物質分析装置の一部として（第１及び第２のバランスキャパシタ電極を有する）バランスキャパシタを含む（第１及び第２の電極を有する）例示的な重量測定センサを示した図である。
【図６】それぞれ固定濃度の除氷流体、タービンエンジンオイル、及び油圧流体について、収集器を通る第１のサンプル流路に沿った信号の大きさ対流量（標準リットル／分（ＳＬＭ））であり、収集器を迂回する第２のサンプル流路に沿った流れが１．０ＳＬＭで一定に保たれた、信号の大きさ対流量を示した図である。
【図７】タービンエンジンオイルの３つの異なる濃度を航空機空気汚染物質分析装置に試した場合であって、これら３つのすべての試行の信号の大きさが略等しくなるように、サンプリング時間及び収集器を通る流量が各試行に先立って設定された一連の測定結果を合成グラフとして示した図である。
【図８】航空機空気汚染物質分析装置の一実施形態を用いた除氷流体の応答スペクトルの決定を示した図である。
【図９】図９は、汚染物質（除氷流体）が存在する場合の応答スペクトルから、除氷流体が存在しない場合の応答スペクトルを減算した結果としての「熱的減算応答」を示した図である。
【図１０】熱的減算応答から計算されたａ）最大周波数シフト（ＭＦＳ）、ｂ）ピーク前合算（ＳＢ）、ｃ）ピーク後合算（ＳＡ）、及びｄ）セグメント＃５（Ｓ５）という４つの特徴を示した図である。
【図１１】汚染物質を区別する化学選択的被膜を備えた航空機空気汚染物質収集器の特徴ＭＦＳの使用を示した図である。
【図１２】汚染物質を区別する化学選択的被膜を備えた航空機空気汚染物質収集器の特徴ＭＦＳの使用を示した図である。
【発明を実施するための形態】
【００１０】
[0020]本発明の一実施形態は、航空機空気汚染物質を決定して種類により分類する方法であって、（ａ）航空機空気を航空機空気汚染物質分析装置の入口並びに流通加熱ブロック及び第１のバルブに通過させるステップであって、流通加熱ブロックが、当該流通加熱ブロックを通過する航空機空気の温度を制御するように構成され、航空機空気のサンプルを第１のサンプル流量及び／又は第１のサンプル流量継続時間で第１のサンプル流路に沿って航空機空気汚染物質分析装置並びに少なくとも１つの航空機空気汚染物質収集器及び第２のバルブに通過させる一方、航空機空気の別のサンプルを第２のサンプル流量及び／又は第２のサンプル流量継続時間で少なくとも１つの航空機空気汚染物質収集器を迂回する第２のサンプル流路に沿って航空機空気汚染物質分析装置並びにバイパス部及び第３のバルブに通過させる、ステップであり、少なくとも１つの航空機空気汚染物質収集器が、（ｉ）第１のサンプル流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、航空機空気汚染物質分析装置が、空気汚染物質の塊が重量測定センサに追加又は重量測定センサから除去された場合に、比例共振周波数応答を生成して、空気汚染物質の種類を分類するように構成された重量測定センサをさらに具備しており、バイパス部が、第２のサンプル流路を含むバイパスチャネルを備え、（ａ’）航空機空気汚染物質分析装置が、第１のサンプル流路及び第２のサンプル流路に沿った流れを生成するポンプと、第１のバルブ、第２のバルブ、及び第３のバルブ間に配置された圧力センサと、流通加熱ブロック中の温度を測定するように構成された温度センサと、をさらに備えた、ステップと、（ｂ）第１のサンプル流路に沿って、少なくとも１つの航空機空気汚染物質収集器を通る第１のサンプル流量及び／又は第１のサンプル流量継続時間を制御する一方、第２のサンプル流路に沿って、バイパス部を通る第２のサンプル流量及び／又は第２のサンプル流量継続時間を独立して制御するステップであり、第１のサンプル流量及び／又は第１のサンプル流量継続時間が最初は、応答信号の大きさの第１の測定用の低い値に設定された、ステップと、（ｃ）微細多孔質媒体により空気汚染物質を捕捉するステップと、（ｄ）第１のバルブ及び第２のバルブを閉じ、圧力センサからの信号に基づいて所望の圧力に達した場合、第３のバルブを閉じるとともに、第１のサンプル流路に沿った少なくとも１つの航空機空気汚染物質収集器への航空機空気の通過を中断するステップと、（ｅ）捕捉した空気汚染物質を蒸発させて脱着させるのに十分な温度まで微細多孔質媒体を加熱するステップと、（ｆ）空気汚染物質の塊が重量測定センサに追加又は重量測定センサから除去された場合に比例共振周波数応答を生成するように構成された重量測定センサにおいて、脱着された空気汚染物質を受容するステップと、（ｇ）空気汚染物質が重量測定センサに追加又は重量測定センサから除去された場合に重量測定センサにより生成された比例共振周波数応答を測定し、空気汚染物質の濃度を決定し、空気汚染物質の種類を分類し、決定した空気汚染物質の濃度及び分類した空気汚染物質の種類を出力するステップと、（ｈ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｉ）第１のバルブ、第２のバルブ、及び第３のバルブを開くステップと、（ｊ）（ｂ）〜（ｉ）を継続的に繰り返して、応答信号の大きさを測定するとともに、過去に測定した信号の大きさに基づいて、第１のサンプル流量及び／又は第１のサンプル流量継続時間を調整することにより、信号の大きさが目標レベルよりも低い場合に、信号の大きさが目標レベルを下回る分に比例した量だけ第１のサンプル流量及び／又は第１のサンプル流量継続時間を増大させて、信号の大きさを目標レベルに維持することと、信号の大きさが目標レベルよりも高い場合に、信号の大きさが目標レベルを上回る分に比例した量だけ第１のサンプル流量及び／又は第１のサンプル流量継続時間を減少させて、信号の大きさを目標レベルに維持することと、を行うステップと、（ｋ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｌ）決定した空気汚染物質の濃度及び空気汚染物質の種類を出力するステップと、を含む、方法を提供する。
【００１１】
[0021]本発明の別の実施形態は、航空機空気汚染物質を決定して種類により分類する方法であって、（ａ）航空機空気を航空機空気汚染物質分析装置の入口並びに流通加熱ブロック及び第１のバルブに通過させるステップであって、流通加熱ブロックが、当該流通加熱ブロックを通過する航空機空気の温度を制御するように構成された、ステップであり、（ａ’）航空機空気汚染物質分析装置が、少なくとも１つの第１の航空機空気汚染物質収集器及び第２の航空機空気汚染物質収集器と、第１のサンプル部分流路及び第２のサンプル部分流路を含む第１のサンプル流路であり、第１の航空機空気汚染物質収集器が、第１のサンプル部分流路に沿って配置され、航空機空気汚染物質分析装置が、第１のサンプル部分流路と連通した第１の可調整流量制御器を具備しており、第２の航空機空気汚染物質収集器が、第２のサンプル部分流路に沿って配置され、航空機空気汚染物質分析装置が、第２のサンプル部分流路と連通した第２の可調整流量制御器を具備しており、航空機空気汚染物質分析装置が、第１のサンプル部分流路及び第２のサンプル部分流路の下流に配置された第２のバルブを具備した、第１のサンプル流路と、第１の航空機空気汚染物質収集器及び第１のサンプル部分流路を迂回するとともに第２の航空機空気汚染物質収集器及び第２のサンプル部分流路を迂回するバイパスサンプル流路を提供するとともに、バイパスサンプル流路を含むバイパスチャネルを備えたバイパス部であり、航空機空気汚染物質分析装置が、バイパスサンプル流路の下流に配置された第３のバルブを具備しており、第１の航空機空気汚染物質収集器及び第２の航空機空気汚染物質収集器がそれぞれ別個に、（ｉ）サンプル部分流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、航空機空気汚染物質分析装置が、空気汚染物質の塊が重量測定センサに追加又は重量測定センサから除去された場合に、比例共振周波数応答を生成して、空気汚染物質の種類を分類するように構成された各重量測定センサを第１の航空機空気汚染物質収集器及び第２の航空機空気汚染物質収集器それぞれの近くにさらに具備した、バイパス部と、を備え、（ａ’’）航空機空気汚染物質分析装置が、第１のサンプル部分流路、第２のサンプル部分流路、及びバイパスサンプル流路に沿った流れを生成するポンプと、第１のバルブ、第２のバルブ、及び第３のバルブ間に配置された圧力センサと、流通加熱ブロック中の温度を測定するように構成された温度センサと、をさらに備えた、ステップと、（ｂ）航空機空気の第１のサンプルを第１のサンプル流量及び第１のサンプル流量継続時間で第１のサンプル流路に沿って航空機空気汚染物質分析装置並びに第１及び第２の航空機空気汚染物質収集器及び第２のバルブに通過させるステップであって、第１のサンプルの第１のサンプル部分を第１の航空機空気汚染物質収集器に通過させ、第１のサンプルの第２のサンプル部分を第２の航空機空気汚染物質収集器に通過させることを含む、ステップであり、航空機空気の第１のサンプル部分を第１のサンプル部分流量及び第１のサンプル部分流量継続時間で第１のサンプル部分流路に沿って通過させ、航空機空気の第２のサンプル部分を第２のサンプル部分流量及び第１のサンプル部分流量継続時間に等しい第２のサンプル部分流量継続時間で第２のサンプル部分流路に沿って通過させる一方、航空機空気の別のサンプルをバイパスサンプル流量及びバイパスサンプル流量継続時間で第１及び第２の航空機空気汚染物質収集器を迂回するバイパスサンプル流路に沿って航空機空気汚染物質分析装置並びにバイパス部及び第３のバルブに通過させる、ステップと、（ｂ’）第１のサンプル部分流量及び第２のサンプル部分流量を調整することにより、第１の航空機空気汚染物質収集器の近くの重量測定センサによる測定信号の大きさが第２の航空機空気汚染物質収集器の近くの重量測定センサによる測定信号の大きさを上回る場合に、第１の可調整流量制御器を調整することによって、第１のサンプル部分流量を減少させることと、第２の航空機空気汚染物質収集器の近くの重量測定センサによる測定信号の大きさが第１の航空機空気汚染物質収集器の近くの重量測定センサによる測定信号の大きさを上回る場合に、第２の可調整流量制御器を調整することによって、第２のサンプル部分流量を減少させることと、を行うステップと、（ｃ）第１のサンプル部分流路に沿って、第１のサンプル流量及び／又は第１のサンプル流量継続時間を制御する一方、バイパスサンプル流路に沿って、バイパス部を通るバイパスサンプル流量及び／又はバイパスサンプル流量継続時間を独立して制御するステップであり、第１のサンプル流量及び／又は第１のサンプル流量継続時間が最初は、応答信号の大きさの初期測定用の低い値に設定された、ステップと、（ｄ）各微細多孔質媒体により空気汚染物質を捕捉するステップと、（ｅ）第１のバルブ及び第２のバルブを閉じ、圧力センサからの信号に基づいて所望の圧力に達した場合、第３のバルブを閉じるとともに、第１のサンプル部分流路及び第２のサンプル部分流路に沿った第１及び第２の航空機空気汚染物質収集器への航空機空気の通過を中断するステップと、（ｆ）捕捉した空気汚染物質を蒸発させて脱着させるのに十分な温度まで各微細多孔質媒体を加熱するステップと、（ｇ）空気汚染物質の塊が重量測定センサに追加又は重量測定センサから除去された場合に比例共振周波数応答を生成するように構成された各重量測定センサにおいて、脱着された空気汚染物質を受容するステップと、（ｈ）空気汚染物質が重量測定センサに追加又は重量測定センサから除去された場合に各重量測定センサにより生成された比例共振周波数応答を測定し、比例共振周波数応答から信号の大きさを決定し、空気汚染物質の濃度を決定し、空気汚染物質の種類を分類し、決定した空気汚染物質の濃度及び分類した空気汚染物質の種類を出力するステップと、（ｉ）コンピュータ可読媒体に格納され、測定した信号の大きさ、第１のサンプル部分流路に沿った第１のサンプル部分流量及び第１のサンプル部分流量継続時間、並びに第２のサンプル部分流路に沿った第２のサンプル部分流量及び第２のサンプル部分流量継続時間を用いて、空気汚染物質の濃度を計算することを含む空気汚染物質認識プログラムを実行するステップと、（ｊ）第１のバルブ、第２のバルブ、及び第３のバルブを開くステップと、（ｋ）信号の大きさの目標レベルを決定し、（ｄ）〜（ｊ）を継続的に繰り返して、応答信号の大きさを測定するとともに、第１のサンプル流量及び／又は第１のサンプル流量継続時間を調整することにより、（ｉｖ）第１の航空機空気汚染物質収集器及び第２の航空機空気汚染物質収集器の近くの重量測定センサにより過去に測定した信号の大きさの平均、（ｖ）第１の航空機空気汚染物質収集器の近くの重量測定センサにより過去に測定した信号の大きさ、又は（ｖｉ）第２の航空機空気汚染物質収集器の近くの重量測定センサにより過去に測定した信号の大きさ、が、目標レベルよりも低い場合に、測定信号の大きさが目標レベルを下回る分に比例した量だけ第１のサンプル流量及び／又は第１のサンプル流量継続時間を増大させて、信号の大きさを目標レベルに維持することと、（ｖｉｉ）第１の航空機空気汚染物質収集器及び第２の航空機空気汚染物質収集器の近くの重量測定センサにより過去に測定した信号の大きさの平均、（ｖｉｉｉ）第１の航空機空気汚染物質収集器の近くの重量測定センサにより過去に測定した信号の大きさ、又は（ｉｘ）第２の航空機空気汚染物質収集器の近くの重量測定センサにより過去に測定した信号の大きさ、が、目標レベルよりも高い場合に、信号の大きさが目標レベルを上回る分に比例した量だけ第１のサンプル流量及び／又は第１のサンプル流量継続時間を減少させて、信号の大きさを目標レベルに維持することと、を行うステップと、を含む、方法を提供する。
【００１２】
[0022]本発明のさらに別の実施形態は、航空機空気汚染物質を決定して種類により分類する方法であって、（ａ）航空機空気を航空機空気汚染物質分析装置の入口並びに流通加熱ブロック及び第１のバルブに通過させるステップであって、流通加熱ブロックが、当該流通加熱ブロックを通過する航空機空気の温度を制御するように構成され、航空機空気のサンプルを第１のサンプル流量及び／又は第１のサンプル流量継続時間で第１のサンプル流路に沿って航空機空気汚染物質分析装置並びに少なくとも１つの航空機空気汚染物質収集器及び第２のバルブに通過させる一方、航空機空気の別のサンプルを第２のサンプル流量及び／又は第２のサンプル流量継続時間で少なくとも１つの航空機空気汚染物質収集器を迂回する第２のサンプル流路に沿って航空機空気汚染物質分析装置並びにバイパス部及び第３のバルブに通過させる、ステップであり、少なくとも１つの航空機空気汚染物質収集器が、（ｉ）第１のサンプル流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、航空機空気汚染物質分析装置が、空気汚染物質の塊が重量測定センサに追加又は重量測定センサから除去された場合に、比例共振周波数応答を生成して、空気汚染物質の種類を分類するように構成された重量測定センサをさらに具備しており、バイパス部が、第２のサンプル流路を含むバイパスチャネルを備え、（ａ’）航空機空気汚染物質分析装置が、第１のサンプル流路及び第２のサンプル流路に沿った流れを生成するポンプと、第１のバルブ、第２のバルブ、及び第３のバルブ間に配置された圧力センサと、流通加熱ブロック中の温度を測定するように構成された温度センサと、をさらに備えた、ステップと、（ｂ）第１のサンプル流路に沿って、少なくとも１つの航空機空気汚染物質収集器を通る第１のサンプル流量及び／又は第１のサンプル流量継続時間を制御する一方、第２のサンプル流路に沿って、バイパス部を通る第２のサンプル流量及び／又は第２のサンプル流量継続時間を独立して制御するステップであり、第１のサンプル流量及び／又は第１のサンプル流量継続時間が最初は、応答信号の大きさの第１の測定用の低い値に設定された、ステップと、（ｃ）微細多孔質媒体により空気汚染物質を捕捉するステップと、（ｄ）第１のバルブ及び第２のバルブを閉じ、圧力センサからの信号に基づいて所望の圧力に達した場合、第３のバルブを閉じるとともに、第１のサンプル流路に沿った少なくとも１つの航空機空気汚染物質収集器への航空機空気の通過を中断するステップと、（ｅ）捕捉した空気汚染物質を蒸発させて脱着させるのに十分な温度まで微細多孔質媒体を加熱するステップと、（ｆ）空気汚染物質の塊が重量測定センサに追加又は重量測定センサから除去された場合に比例共振周波数応答を生成するように構成された重量測定センサにおいて、脱着された空気汚染物質を受容するステップと、（ｇ）空気汚染物質が重量測定センサに追加又は重量測定センサから除去された場合に重量測定センサにより生成された比例共振周波数応答を測定し、比例共振周波数応答から信号の大きさを決定し、空気汚染物質の濃度を決定し、空気汚染物質の種類を分類し、決定した空気汚染物質の濃度及び分類した空気汚染物質の種類を出力するステップと、（ｈ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｉ）第１のバルブ、第２のバルブ、及び第３のバルブを開くステップと、（ｊ）汚染物質の種類について、信号の大きさの上側閾値及び下側閾値を決定し、（ｂ）〜（ｉ）を継続的に繰り返して、応答信号の大きさを測定するとともに、過去に測定した信号の大きさに基づいて、第１のサンプル流量及び／又は第１のサンプル流量継続時間を調整することにより、信号の大きさが下側閾値よりも低い場合に、次の所定の高感度レベルまで第１のサンプル流量及び／又は第１のサンプル流量継続時間を増大させて、信号の大きさを上側閾値と下側閾値との間に維持することと、信号の大きさが上側閾値よりも高い場合に、次の所定の低感度レベルまで第１のサンプル流量及び／又は第１のサンプル流量継続時間を減少させて、信号の大きさを上側閾値と下側閾値との間に維持することと、を行うステップと、（ｋ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｌ）決定した空気汚染物質の濃度及び空気汚染物質の種類を出力するステップと、を含む、方法を提供する。
【００１３】
[0023]本発明のさらに別の実施形態は、航空機空気汚染物質を決定して種類により分類する方法であって、（ａ）航空機空気を航空機空気汚染物質分析装置の入口並びに流通加熱ブロック及び第１のバルブに通過させるステップで、流通加熱ブロックが、当該流通加熱ブロックを通過する航空機空気の温度を制御するように構成された、ステップであり、（ａ’）航空機空気汚染物質分析装置が、少なくとも１つの第１の航空機空気汚染物質収集器及び第２の航空機空気汚染物質収集器と、第１のサンプル部分流路及び第２のサンプル部分流路を含む第１のサンプル流路であり、第１の航空機空気汚染物質収集器が、第１のサンプル部分流路に沿って配置され、航空機空気汚染物質分析装置が、第１のサンプル部分流路と連通した第１の可調整流量制御器を具備しており、第２の航空機空気汚染物質収集器が、第２のサンプル部分流路に沿って配置され、航空機空気汚染物質分析装置が、第２のサンプル部分流路と連通した第２の可調整流量制御器を具備しており、航空機空気汚染物質分析装置が、第１のサンプル部分流路及び第２のサンプル部分流路の下流に配置された第２のバルブを具備した、第１のサンプル流路と、第１の航空機空気汚染物質収集器及び第１のサンプル部分流路を迂回するとともに第２の航空機空気汚染物質収集器及び第２のサンプル部分流路を迂回するバイパスサンプル流路を提供するとともに、バイパスサンプル流路を含むバイパスチャネルを備えたバイパス部であり、航空機空気汚染物質分析装置が、バイパスサンプル流路の下流に配置された第３のバルブを具備しており、第１の航空機空気汚染物質収集器及び第２の航空機空気汚染物質収集器がそれぞれ別個に、（ｉ）サンプル部分流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、航空機空気汚染物質分析装置が、空気汚染物質の塊が重量測定センサに追加又は重量測定センサから除去された場合に、比例共振周波数応答を生成して、空気汚染物質の種類を分類するように構成された重量測定センサをさらに具備した、バイパス部と、を備え、（ａ’’）航空機空気汚染物質分析装置が、第１のサンプル部分流路、第２のサンプル部分流路、及びバイパスサンプル流路に沿った流れを生成するポンプと、第１のバルブ、第２のバルブ、及び第３のバルブ間に配置された圧力センサと、流通加熱ブロック中の温度を測定するように構成された温度センサと、をさらに備えた、ステップと、（ｂ）航空機空気の第１のサンプルを第１のサンプル流量及び第１のサンプル流量継続時間で第１のサンプル流路に沿って航空機空気汚染物質分析装置並びに第１及び第２の航空機空気汚染物質収集器及び第２のバルブに通過させるステップであって、第１のサンプルの第１のサンプル部分を第１の航空機空気汚染物質収集器に通過させ、第１のサンプルの第２のサンプル部分を第２の航空機空気汚染物質収集器に通過させることを含む、ステップであり、航空機空気の第１のサンプル部分を第１のサンプル部分流量及び第１のサンプル部分流量継続時間で第１のサンプル部分流路に沿って通過させ、航空機空気の第２のサンプル部分を第２のサンプル部分流量及び第１のサンプル部分流量継続時間に等しい第２のサンプル部分流量継続時間で第２のサンプル部分流路に沿って通過させる一方、航空機空気の別のサンプルをバイパスサンプル流量及びバイパスサンプル流量継続時間で第１及び第２の航空機空気汚染物質収集器を迂回するバイパスサンプル流路に沿って航空機空気汚染物質分析装置並びにバイパス部及び第３のバルブに通過させる、ステップと、（ｂ’）第１のサンプル部分流量及び第２のサンプル部分流量を調整することにより、第１の航空機空気汚染物質収集器の測定信号の大きさが第２の航空機空気汚染物質収集器の測定信号の大きさを上回る場合に、第１の可調整流量制御器を調整することによって、第１のサンプル部分流量を減少させることと、第２の航空機空気汚染物質収集器の測定信号の大きさが第１の航空機空気汚染物質収集器の測定信号の大きさを上回る場合に、第２の可調整流量制御器を調整することによって、第２のサンプル部分流量を減少させることと、を行うステップと、（ｃ）第１のサンプル部分流路に沿って、第１のサンプル流量及び／又は第１のサンプル流量継続時間を制御する一方、バイパスサンプル流路に沿って、バイパス部を通るバイパスサンプル流量及び／又はバイパスサンプル流量継続時間を独立して制御するステップであり、第１のサンプル流量及び／又は第１のサンプル流量継続時間が最初は、応答信号の大きさの初期測定用の低い値に設定された、ステップと、（ｄ）各微細多孔質媒体により空気汚染物質を捕捉するステップと、（ｅ）第１のバルブ及び第２のバルブを閉じ、圧力センサからの信号に基づいて所望の圧力に達した場合、第３のバルブを閉じるとともに、第１のサンプル部分流路及び第２のサンプル部分流路に沿った第１及び第２の航空機空気汚染物質収集器への航空機空気の通過を中断するステップと、（ｆ）捕捉した空気汚染物質を蒸発させて脱着させるのに十分な温度まで各微細多孔質媒体を加熱するステップと、（ｇ）空気汚染物質の塊が重量測定センサに追加又は重量測定センサから除去された場合に比例共振周波数応答を生成するように構成された各重量測定センサにおいて、脱着された空気汚染物質を受容するステップと、（ｈ）空気汚染物質が重量測定センサに追加又は重量測定センサから除去された場合に各重量測定センサにより生成された比例共振周波数応答を測定し、比例共振周波数応答から信号の大きさを決定し、空気汚染物質の濃度を決定し、空気汚染物質の種類を分類し、決定した空気汚染物質の濃度及び分類した空気汚染物質の種類を出力するステップと、（ｉ）コンピュータ可読媒体に格納され、測定した信号の大きさ並びに第１のサンプル流路に沿った第１のサンプル流量及び第１のサンプル流量継続時間を用いて、空気汚染物質の濃度を計算することを含む空気汚染物質認識プログラムを実行するステップと、（ｊ）第１のバルブ、第２のバルブ、及び第３のバルブを開くステップと、（ｋ）汚染物質の種類について、信号の大きさの上側閾値及び下側閾値を決定し、（ｄ）〜（ｊ）を継続的に繰り返して、応答信号の大きさを測定するとともに、第１のサンプル流量及び／又は第１のサンプル流量継続時間を調整することにより、（ｉｖ）第１の航空機空気汚染物質収集器及び第２の航空機空気汚染物質収集器の近くの重量測定センサにより過去に測定した信号の大きさの平均、（ｖ）第１の航空機空気汚染物質収集器の近くの重量測定センサにより過去に測定した信号の大きさ、又は（ｖｉ）第２の航空機空気汚染物質収集器の近くの重量測定センサにより過去に測定した信号の大きさ、が、下側閾値よりも低い場合に、次の所定の高感度レベルまで第１のサンプル流量及び／又は第１のサンプル流量継続時間を増大させて、信号の大きさを下側閾値と上側閾値との間に維持することと、（ｖｉｉ）第１の航空機空気汚染物質収集器及び第２の航空機空気汚染物質収集器の近くの重量測定センサにより過去に測定した信号の大きさの平均、（ｖｉｉｉ）第１の航空機空気汚染物質収集器の近くの重量測定センサにより過去に測定した信号の大きさ、又は（ｉｘ）第２の航空機空気汚染物質収集器の近くの重量測定センサにより過去に測定した信号の大きさ、が、上側閾値よりも高い場合に、次の所定の低感度レベルまで第１のサンプル流量及び／又は第１のサンプル流量継続時間を減少させて、信号の大きさを上側閾値と下側閾値との間に維持することと、を行うステップと、を含む、方法を提供する。
【００１４】
[0024]この方法の実施形態によれば、空気汚染物質は、エアロゾル、微粒子、並びに／又は（１つ若しくは複数の）蒸気を含む。
【００１５】
[0025]別の実施形態においては、（ａ）少なくとも１つの航空機空気汚染物質収集器であり、（ｉ）微細多孔質流通チャネル及び化学選択的被膜を備えた微細多孔質媒体であって、制御期間にわたって加熱されている間、機能を維持するとともに捕捉された空気汚染物質を脱着させる、微細多孔質媒体であり、当該少なくとも１つの航空機空気汚染物質収集器が、第１のサンプル流路を提供し、当該微細多孔質媒体が、第１のサンプル流路を横切って配置された、微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備えた、少なくとも１つの航空機空気汚染物質収集器と、（ｂ）第２のサンプル流路を含み、少なくとも１つの航空機空気汚染物質収集器を迂回するバイパスチャネルを備えたバイパス部と、（ｃ）上面及び下面を有する第１の基板であり、少なくとも１つの航空機空気汚染物質収集器が関連付けられ、微細多孔質媒体及び薄膜抵抗性加熱器が熱的に絶縁された、第１の基板と、（ｄ）空気汚染物質の塊が重量測定センサに追加又は重量測定センサから除去された場合に、比例共振周波数応答を生成して、空気汚染物質の種類を分類するように構成された重量測定センサと、（ｅ）上面及び下面を有する第２の基板であり、重量測定センサが上面と関連付けられ、重量測定センサが、一定距離だけ少なくとも１つの航空機空気汚染物質収集器から分離され、重量測定センサが、加熱された膜から脱着された空気汚染物質を受容するように構成された、第２の基板と、（ｆ）上面及び下面を有する支持部であり、上面及び下面を通過する共通入口ポートを備え、第２の基板の下面が当該支持部の上面と関連付けられた、支持部と、共通入口ポートの上流に配置された航空機空気汚染物質入口ポート、流通加熱ブロック、及び第１のバルブと、少なくとも１つの航空機空気汚染物質収集器の下流で、第１のサンプル流路に沿って配置された第２のバルブと、第２のサンプル流路に沿って配置された第３のバルブと、第１のサンプル流路及び第２のサンプル流路に沿った流れを生成するように構成されたポンプと、第１のバルブ、第２のバルブ、及び第３のバルブ間に配置された圧力センサと、流通加熱ブロック中の温度を測定するように構成された温度センサと、（ｈ）空気汚染物質が重量測定センサに追加又は重量測定センサから除去された場合に重量測定センサにより生成された比例共振周波数応答を測定するように構成された共振周波数測定装置と、（ｉ）空気汚染物質認識プログラム及び校正データを有するコンピュータ可読媒体と、（ｊ）空気汚染物質を種類により分類するとともに、重量測定センサにより生成された比例共振周波数応答からの応答信号の大きさを測定するように構成されたモジュールと、信号の大きさとの比較に校正データを用いて、空気汚染物質の濃度を計算するようにプログラムされたモジュールと、を含む空気汚染物質認識プログラムを実行することと、第１のバルブ、第２のバルブ、及び／若しくは第３のバルブ、並びに／又はポンプを制御して、信号の大きさが所定の目標レベル又は所定の下側閾値を下回る場合に、第１のサンプル流量及び／又は第１のサンプル流量継続時間を増大させることと、比例共振周波数応答が所定の目標レベル又は所定の上側閾値を上回る場合に、第１のサンプル流量及び／又は第１のサンプル流量継続時間を減少させることと、を行うことにより、信号の大きさを所定の目標レベル又は所定の上側閾値と所定の下側閾値との範囲内に維持するように構成されたモジュールを含む感度制御プログラムを実行することと、を行うように構成されたプロセッサと、を備えた航空機空気汚染物質分析装置が提供される。
【００１６】
[0026]いくつかの実施形態において、航空機空気汚染物質分析装置は、当該航空機空気汚染物質分析装置が、第１の航空機空気汚染物質収集器及び第２の航空機空気汚染物質収集器を備えるように、付加的な航空機空気汚染物質収集器をさらに備え、第１のサンプル流路が、第１のサンプル部分流路及び第２のサンプル部分流路を含み、第１の航空機空気汚染物質収集器が、第１のサンプル部分流路に沿って配置され、当該航空機空気汚染物質分析装置が、第１のサンプル部分流路と連通した第１の可調整流量制御器を具備しており、第２の航空機空気汚染物質収集器が、第２のサンプル部分流路に沿って配置され、当該航空機空気汚染物質分析装置が、第２のサンプル部分流路と連通した第２の可調整流量制御器を具備しており、当該航空機空気汚染物質分析装置が、第１のサンプル部分流路及び第２のサンプル部分流路の下流に配置された第２のバルブを具備しており、第２のサンプル流路を提供するバイパス部が、第１の航空機空気汚染物質収集器及び第１のサンプル部分流路を迂回するとともに第２の航空機空気汚染物質収集器及び第２のサンプル部分流路を迂回し、第３のバルブが、第２のサンプル流路の下流に配置されており、第１の航空機空気汚染物質収集器及び第２の航空機空気汚染物質収集器がそれぞれ別個に、（ｉ）サンプル部分流路を横切って配置された微細多孔質流通チャネルを備え、化学選択的被膜を有する微細多孔質媒体と、（ｉｉ）捕捉された空気汚染物質を蒸発させる温度まで加熱可能な薄膜抵抗性加熱器であり、微細多孔質媒体と接触した、薄膜抵抗性加熱器と、を備え、当該航空機空気汚染物質分析装置が、各微細多孔質媒体の近くに配置され、空気汚染物質の塊が重量測定センサに追加又は重量測定センサから除去された場合に、比例共振周波数応答を生成して、空気汚染物質の種類を分類する重量測定センサをさらに具備しており、ポンプが、第１のサンプル部分流路、第２のサンプル部分流路、及び第２のサンプル流路に沿った流れを生成し、空気汚染物質認識プログラムが、各航空機空気汚染物質収集器の近くの重量測定センサにより生成された比例共振周波数応答からの応答信号の大きさを測定するように構成されたモジュールと、一方又は両方の信号の大きさを用いて空気汚染物質の濃度を計算するモジュールと、を含み、感度制御プログラムが、第１のバルブ、第２のバルブ、及び／若しくは第３のバルブ、並びに／又はポンプを制御して、信号の大きさが所定の目標レベル又は所定の下側閾値を下回る場合に、第１のサンプル流量及び／又は第１のサンプル流量継続時間を増大させることと、信号の大きさが所定の目標レベル又は所定の上側閾値を上回る場合に、第１のサンプル流量及び／又は第１のサンプル流量継続時間を減少させることと、を行うことにより、第１の航空機空気汚染物質収集器及び第２の航空機空気汚染物質収集器の近くの重量測定センサにより過去に測定した信号の大きさの平均、第１の航空機空気汚染物質収集器の近くの重量測定センサにより過去に測定した信号の大きさ、又は第２の航空機空気汚染物質収集器の近くの重量測定センサにより過去に測定した信号の大きさ、を所定の目標レベル又は所定の上側閾値と所定の下側閾値との範囲内に維持するように構成されたモジュールを含む。
【００１７】
[0027]本発明の実施形態によれば、２つの主流路が利用され、一方の主流路が少なくとも１つの航空機空気汚染物質収集器を通過する一方、他方の主流路は収集器を迂回する。航空機空気汚染物質分析装置が２つ以上の空気汚染物質収集器を具備する実施形態において、第１の主流路は、別個の空気汚染物質収集器を通過する別個の副流路（第１及び第２のサンプル部分流路）に分けられるが、これらの副流路は独立して制御されない。むしろ、第１及び第２の空気汚染物質収集器を含む一実施形態においては、両収集器の信号の大きさが同様となるように、一度限りの調整によって、第１の収集器を通る第１の主流路の流量の割合と第２の収集器を通る第１の主流路の流量の割合とを再配分する。副路は、共通下流バルブを通過する前に合流するため、共通下流バルブを通る流量は、第１のサンプル部分流量及び第２のサンプル部分流量の合計である。
【００１８】
[0028]重量測定センサの少なくとも１つの応答を繰り返し測定しつつ、各航空機空気汚染物質収集器の微細多孔質媒体を加熱して、副流路に沿って通過した収集汚染物質を蒸発させることにより、蒸発した汚染物質が重量測定センサに移動して測定されるようにする。測定率は、少なくとも１つの重量測定センサの少なくとも１つの応答の分解に十分であり、微細多孔質媒体から放出された汚染物質を吸着した後に脱着する際のセンサの周波数対時間カーブの形状である。
【００１９】
[0029]一実施形態によれば、測定信号の大きさが目標レベルに維持されるように、流量及び／又は流量継続時間が調整される。別の実施形態によれば、測定信号の大きさが上側目標閾値と下側目標閾値との間に維持されるように、流量及び／又は流量継続時間が調整される。
【００２０】
[0030]短時間の応答及び回復を同時に可能としつつ、広範な汚染物質濃度及び蒸気圧力にわたって適当な感度及び付着の低減の両者を実現するため、エアロゾル組成分析装置の感度を高速に調節可能であるのが好都合である。このため、例えば、汚染物質濃度が高く、サンプリング量が少ない場合は、付着を低減可能であり、汚染物質濃度が低く、サンプリング量が多い場合であっても、高速応答を提供可能であるが、その両条件下において、感度は維持される。別の利点として、複数の汚染物質が存在する場合は、一部の濃度及び蒸気圧力がそれ以外と異なるが、分析装置は、高速調節によって、異なる汚染物質を検出することができる。
【００２１】
[0031]本発明に係る航空機空気汚染物質分析装置の実施形態は、「使い捨て」ではなく、例えば、付着に耐性を示し、少なくとも１つの汚染物質濃度を繰り返し測定して少なくとも１つの汚染物質の種類を決定するのに使用可能である。
【００２２】
[0032]別の利点として、特に２つ以上の航空機空気汚染物質収集器が利用される場合は、特性（例えば、蒸気圧力及び／又は密度）の類似する異なる流体をより正確に分類することができる。
【００２３】
[0033]決定及び分類される汚染物質としては、エアロゾル、微粒子、及び／又は気体が挙げられる。
【００２４】
[0034]通常の一実施形態においては、大容量キャビンの汚染物質濃度がＥＣＳ（環境制御システム）の通気口から現れるレベルに上昇する前に遅延が生じることになるため、航空機空気汚染物質分析装置をＥＣＳの通気口又は導管に位置付けることができる。ただし、例えばコックピット、キャビン、頭上の荷物室、収納棚、ギャレーエリア、航空電子機器室、補助電源ユニット等、分析装置には多様な場所が適している。或いは、分析装置を１つの場所に設置し、例えばパイプ類、管類、及び／又は導管等の多様な空気移動装置を介して、空気を別の場所から分析装置に案内することができる。
【００２５】
[0035]上記の代替又は追加として、例えば抽気管又はその近傍等に航空機空気汚染物質分析装置を位置付け可能であり、エンジンからの加圧空気がＥＣＳに送られる。抽気管又はその近傍の分析装置の利点として、各エンジンからの抽気のサンプリングにより、欠陥エンジンの通知及び識別が可能であり、汚染された抽気の欠陥エンジンからＥＣＳへの供給を乗員が停止可能である。これに対して、分析装置がキャビンに位置付けられていると、キャビンからのサンプリングであれＥＣＳ通気口又はＥＣＳ導管からのサンプリングであれ、汚染物質源が存在することは通知されるものの、汚染源となっているエンジン又はＡＰＵ（補助電源ユニット）については通知されない。
【００２６】
[0036]分析装置は、重量測定センサの応答を正確に分解するのに十分な測定率で周波数を測定する測定回路を具備しており、通常は、重量測定センサごとに約１０〜約１００回／秒の測定である。測定は、分析装置の他の機能、特に、微細多孔質媒体を加熱する機能と同期する。測定は通常、最大周波数変化及び重量測定センサの応答の回復率を分解するのに十分な継続時間にわたり、例えば通常は、約１秒〜約４秒の長さの継続時間である。
【００２７】
[0037]所定の期間（例えば、約１０〜約６０秒）にわたる所定率での十分な量のサンプル（例えば、約５００〜約２０００標準立方センチメートル／分（ｓｃｃｍ））が分析装置を流れることにより、センサの周波数対時間カーブの形状を分解するのに測定ノイズレベルを十分に上回る応答の大きさが実現され、通常は、約４：１以上の信号対雑音比である。
【００２８】
[0038]異なる汚染物質の移動、吸着、及び脱着の動態によって、異なる汚染物質ごとに応答形状が異なる。例示として、参照しやすいように４つの異なる化合物（例えば、ニトロメタン  過酸化アセトン、二硝酸エチレングリコール、及び２，３−ジメチル−２，３−ジニトロブタン）が単一のグラフに重ね合わされるとすれば、これらの化合物のセンサ周波数対時間応答の形状は、蒸気圧力が低い（重い）化合物よりも蒸気圧力が高い（軽い）化合物の方が膜から高速に放出されることを示す。例えば、過酸化アセトン、二硝酸エチレングリコール、及び２，３−ジメチル−２，３−ジニトロブタンよりも前に、ニトロメタンが放出される。
【００２９】
[0039]微細多孔質媒体を通るサンプル流路（又は、副流路）に沿った流れ（ポンプにより生成）は、微細多孔質媒体が加熱される前にゼロ又はほぼゼロ（例えば、約５ｓｃｃｍ以下）となるように停止されるものとする。例えば通常は、流れは加熱の少なくとも０．２秒前に停止されるものとする。
【００３０】
[0040]周波数を繰り返し測定しつつ、約０．１秒で少なくとも約４００℃まで昇温させる電圧ステップを印加することにより、微細多孔質媒体を加熱するのが好ましい。通常、微細多孔質媒体は、少なくとも約１秒間、好ましくは少なくとも約２秒間（例えば、最大約１０秒間以上）にわたって、少なくとも約２００℃、より一般的には少なくとも約４００℃、いくつかの実施形態においては約５５０℃まで加熱されることにより、次の測定が「再出発」として開始となり得るように少なくとも１つの汚染物質を蒸発（脱着）させる。重量測定センサのドリフトを取り除く（「セルフゼロ（ｓｅｌｆ−ｚｅｒｏ）」）ため、センサの応答は、微細多孔質媒体の加熱直前のセンサの周波数を参照とする。
【００３１】
[0041]微細多孔質媒体が加熱されていない場合、分析装置は、固定温度（例えば、約３０℃〜約７０℃の範囲の固定温度）に維持されるのが好ましい。
【００３２】
[0042]パターン認識アルゴリズムを用いて、各汚染物質をその一意の応答、センサの周波数対時間カーブの形状により認識することで、少なくとも１つの汚染物質を分類可能である。これは、汚染物質の材料特性の影響を受けるものであり、蒸気圧力、熱容量、凝縮熱、蒸発熱、吸着及び脱着の動態、並びに拡散率のいずれかのうちの１つ又は複数が挙げられるが、これらに限定されない。汚染物質固有の応答形状による少なくとも１つの汚染物質の分類には、多様なアルゴリズムを使用可能である。好適なアルゴリズムとしては、例えばニューラルネット、主成分分析、サポートベクターマシンに基づく分類、線形判別分析、及び決定ツリー分析が挙げられる。
【００３３】
[0043]所定の校正ファイル（例えば、少なくとも１つの応答の大きさの関数として少なくとも１つの汚染物質濃度の値を与えるカーブ又はルックアップテーブル）に対して少なくとも１つの応答の大きさを比較することにより、少なくとも１つの汚染物質の濃度を計算することができる。
【００３４】
[0044]信号の大きさは、汚染物質の種類によるより正確な分類のため、センサのノイズレベルを上回る。信号の大きさは、過剰な汚染物質が収集されてセンサの寿命を短くし得るほどではないのが好ましい。
【００３５】
[0045]いくつかの実施形態において、信号の大きさは、重量測定センサにより測定される周波数シフト（例えば、最大周波数シフト（ＭＦＳ））である。例えば、信号の大きさがＭＦＳであるいくつかの実施形態において、目標レベルは通常、約１００Ｈｚ〜約１０００Ｈｚの範囲、好ましくは約３００Ｈｚ〜約５００Ｈｚの範囲内である。
【００３６】
[0046]他のいくつかの実施形態においては、周波数シフトがＭＦＳではなく、例えば、収集器の通電後の固定時間に測定することも可能であるし、２つ以上の時間における周波数の合計又は測定全体若しくはその一部にわたる合計（すなわち、カーブ下側の面積）も可能である。
【００３７】
[0047]重量測定センサ（単一のセンサ又はセンサアレイを含み得る）は、センサに対して追加又は除去された塊に対する正確な比例周波数応答を生成する。好ましくはこの応答は、少量の移動汚染物質（検体）により過減衰されないように、広いダイナミックレンジにわたって提供される。重量測定センサは、増幅発振回路の一部として動作することにより、その共振を維持する。
【００３８】
[0048]以下、本発明の各構成要素をより詳しく説明するが、同様の構成要素は同様の参照番号を有する。
【００３９】
[0049]本発明の実施形態は、１つの航空機空気収集器又は２つ以上の航空機空気収集器を用いて実行可能であるが、図１は、本発明の一実施形態に係る、例示的な航空機空気汚染物質分析装置の２つの航空機空気収集器１、１’の例示的な上面図である。図２は、図１の線ＡＡに沿った航空機空気汚染物質分析装置を表し、図３は、図１の線ＢＢに沿った航空機空気汚染物質分析装置を表している。
【００４０】
[0050]図２及び図３に示す例示的な実施形態において、航空機空気汚染物質分析装置２００は、航空機空気が流入する航空機空気汚染物質分析装置入口５００（図２に示すが、これは、航空機空気汚染物質分析装置入口５００を含む任意選択的な入口マニホールド５１０も示す）と、航空機空気を加熱する流通加熱器８００と、を備え、加熱器は、温度センサ８１０と、電子制御可能な第１のバルブ８５０と、第１の航空機空気汚染物質収集器１及び第２の航空機空気汚染物質収集器１’とを具備しており、各収集器の第１のサンプル部分流路１０００Ａ及び第２のサンプル部分流路１０００Ｂをそれぞれ提供する。
【００４１】
[0051]航空機空気汚染物質収集器を示す図４Ａ〜図４Ｄを参考として用いて（第１の航空機空気汚染物質収集器１及び第２の航空機空気汚染物質収集器１’が同じ構成要素を有することから、図２及び図３は、例えば１０’、１０１１’、１００’等、第２の航空機空気汚染物質収集器の構成要素に「’」を付して載せている）、第１の航空機空気汚染物質収集器１は、第１の基板上層１０１Ａ及び第１の基板下層１０１Ｂを有する第１の基板主層１０１を備えた第１の基板１０１１を備えた基部１０と（図４Ｄ）、第１の基板上の多孔質媒体１００（例えば、微細多孔質膜１００Ａ）と、を備える。多孔質媒体は、上面１１１及び下面１１２を有する（図４Ｃ及び図４Ｄ）とともに、（多孔質媒体の上面及び下面を通る）微細多孔質流通チャネル１１５及び化学選択的被膜１５０（図４Ａ、図４Ｂ、及び図４Ｄに示す）を備えており、制御期間にわたって加熱されている間、機能を維持するとともに捕捉された空気汚染物質を脱着させる。また、捕捉された空気汚染物質を蒸発させる温度まで加熱可能な薄膜抵抗性加熱器１７５を備えており、当該加熱器は、多孔質媒体の上面（中及び／又は上）と接触している。層１０１Ａ及び１０１Ｂ、多孔質媒体１００、加熱器１７５、（加熱器１７５と連通したワイヤボンド（図示せず）と連通可能な）配線６２０、並びに（配線の少なくとも一部を覆って、例えば低抵抗をもたらすとともに、ワイヤボンドによる確実な電気コンタクトの構成及びワイヤボンドから加熱器への加熱電流のより効率的な移動を可能にする）任意選択的なパッケージ層６９９が、例えば付加プロセスによって第１の基板主層１０１と関連付けられる（例えば、第１の基板主層１０１に搭載又は組み付けられる）ほか、例えば除去プロセスによって、チャネル１１５及びテザー１９０（後述する）並びに多孔質媒体１００の下側の空洞（図４Ｄに示す）が作製される。
【００４２】
[0052]図４Ａ〜図４Ｄは、第１の基板上層１０１Ａ及び第１の基板下層１０１Ｂを有する第１の基板主層１０１を備えた第１の基板１０１’を示しているが、当業者であれば、多孔質媒体１００を構成する他のプロセスに層１０１Ａ及び／又は１０１Ｂを必要としない場合があることが認識されるはずである。
【００４３】
[0053]通常、化学選択的被膜１５０は、膜の全表面（例えば、上面、下面、流通チャネル、図４Ｂに示さないチャネル／細孔中の被膜）のほか、加熱器及び電気配線の上部を覆うが、パッケージ層６９９は覆わない。
【００４４】
[0054]多孔質膜及び加熱器は、基部１０及び第１の基板１０１１から熱的に絶縁されているのが好ましい。例えば、多孔質部材は、（例えば、図４Ａ、図４Ｂ、及び図４Ｄに示すように、多孔質部材を基板に接続するテザー１９０により）１０１、１０１Ａ、及び１０１Ｂから熱的に絶縁されて、多孔質部材の縁部における伝熱損失を抑えるとともに、低電力での高速且つ均一な加熱を可能にする。一実施形態においては、第１の基板にチャネル１９５がエッチングされて、テザーを規定する（例えば、テザーは、チャネルがエッチングされた後に残る第１の基板の部分である）。流通チャネル１１５（直径は通常、約５０マイクロメートル以下）に対して、チャネル１９５は通常、細長く、テザーを規定する。
【００４５】
[0055]図４Ｂ及び図４Ｄに示す実施形態において、薄膜抵抗性加熱器１７５は、多孔質膜の上面１１１中又は上面１１１上に配置される（多孔質膜の流通チャネル１１５を囲む）とともに、テザー上に配置されている。
【００４６】
[0056]例えば図４Ｄに示すいくつかの実施形態において、多孔質部材の上面１１１には、加熱器（及び、電流が流れるその他任意の構造（例えば、電気配線））の直下に絶縁層１２０（例えば、ＳｉＯ２）を含むことにより、多孔質膜における電流の短絡を防止する。
【００４７】
[0057]図３に示すように、第１のサンプル部分流路１０００Ａ及び第２のサンプル部分流路１０００Ｂは、電子制御可能な第２のバルブ１０５０を通過する前に、出口マニホールド１０７５において収集器１、１’の下流に合流する。また、図３は、第１のサンプル部分流路１０００Ａ及び第２のサンプル部分流路１０００Ｂそれぞれと連通した第１及び第２の可調整流量制御器１１００Ａ及び１１００Ｂを示している。通常、制御器は、校正時に調整され、手動での調整も可能であるし、動力起動（例えば、電力バルブ）を用いた調整も可能である。
【００４８】
[0058]また、図２に示すように、航空機空気汚染物質分析装置の図示の実施形態は、バイパスチャネルポート２００２及びバイパスチャネル２００３を備え、電子制御可能な第３のバルブ２０５０を通過するバイパスサンプル流路２０００を提供するバイパス部２００１も含む。バイパスサンプル流路は、第１のサンプル部分流路１０００Ａ（及び、存在する場合は第２のサンプル部分流路１０００Ｂ）を迂回する。
【００４９】
[0059]検出サイクルの検知部においては、圧力の制御にバルブ８５０、１０５０、２０５０が用いられる。また、図２は、電子機器がバルブの動作を制御する（例えば、所望の圧力に達した場合にバルブが正しい順序で閉じられる）ように圧力を検知する圧力センサ９１０を示している。検知においては、バルブ８５０が最初に閉じられ、所望の圧力（キャビン圧力未満（通常、約１０ｐｓｉａ））に達した場合に、バルブ１０５０及び２０５０が閉じられるのが好ましい。
【００５０】
[0060]通常、流通加熱器８００は、流入する航空機空気の温度を約３０℃〜約７０℃の範囲の固定温度に制御するが、温度センサ８１０は、電子機器が加熱器の動作を制御して固定温度を維持するように、温度を検知する。
【００５１】
[0061]これら図示の実施形態において、航空機空気汚染物質収集器１、１’は、上面３１１Ａ及び下面３１１Ｂを有する第１の支持部３１１（通常は、プリント配線板）と関連付けられている（例えば、第１の支持部３１１に搭載されている）。以下により詳しく論じる通り、第１のサンプル部分流路及び第２のサンプル部分流路は、第１の支持部の別個の部分を通過して、出口マニホールド１０７５を流れる。第１のサンプル部分流路、第２のサンプル部分流路、及びバイパスサンプル流路に沿った流れは、ポンプ３００３により生成される。
【００５２】
[0062]分析装置２００は、第１及び第２のサンプル部分流路に沿って各収集器の近くに配置され、空気汚染物質の塊が重量測定センサ３、３’に追加又は重量測定センサ３、３’から除去された場合に比例共振周波数応答を生成して、空気汚染物質の種類を分類する重量測定センサ３、３’と、上面２０１Ａ、２０１Ａ’及び下面２０１Ｂ、２０１Ｂ’をそれぞれ有する第２の基板２０１、２０１’と、を具備する。重量測定センサ３、３’は、第２の基板の上面と関連付けられ（例えば、除去プロセス及び付加プロセスによって上面に搭載又は組み付けられ）、汚染物質収集器から一定距離だけ分離されるとともに、微細多孔質媒体が加熱された場合に各微細多孔質媒体から脱着された空気汚染物質を受容するように構成されている。
【００５３】
[0063]また、図２及び図３に示す分析装置（一部の構成要素は、図２又は図３においてのみ表示する）の実施形態は、上面３１２Ａ及び下面３１２Ｂを備えた第２の支持部３１２を具備しており、この第２の支持部は、その上面及び下面を通過する航空機空気が流入する共通入口２００４を備え、第２の基板の下面が第２の支持部の上面と関連付けられている（例えば、上面に搭載されている）。通常、第２の支持部は、プリント配線板を備える。図２に示すように、共通入口２００４は、バイパスチャネルポート２００２と位置合わせされて、例えば大きな粒子がバイパスチャネルポートを容易に通過できるようにするのが好ましい。
【００５４】
[0064]重量測定センサと微細多孔質媒体との分離は、一定に保たれ、通常は約０．１ｍｍ〜約２ｍｍ、好ましくは約０．４ｍｍ〜約０．４ｍｍの距離であるものとする。例えば、図２及び図３は、センサと微細多孔質媒体との間隔を維持する第１の支持部３１１と第２の支持部３１２との間のスペーサ３１５を示している。スペーサの長さは、収集器及び重量測定センサの対向面間の分離が約０．２ｍｍ〜約０．４ｍｍとなるようにするのが好ましい。
【００５５】
[0065]また、図２及び図３に示す実施形態は、電源又は電源への接続部、電力調整器、並びに発振器及びフィールドプログラマブルゲートアレイ（ＦＰＧＡ）を備え、共振器アレイにより生成された比例共振周波数応答を測定することにより、少なくとも１つの空気汚染物質の種類の分類を可能にするように構成された共振周波数測定装置６１０Ａを備えた測定回路６１０を含む電子機器６００と、空気汚染物質認識プログラムを有するコンピュータ可読媒体と、振動率を測定して少なくとも１つの空気汚染物質の種類を分類するように構成されるとともに、少なくとも１つの共振器アレイにより生成された比例共振周波数応答の大きさとの校正テーブルによる比較によって、少なくとも１つの空気汚染物質濃度の計算及び少なくとも１つの空気汚染物質の種類の決定を行うようにプログラムされたモジュールを含む空気汚染物質認識プログラムを実行するように構成されたプロセッサと、を具備する。また、空気汚染物質認識プログラムは、バルブ及び／又はポンプの制御によって、（ａ）信号の大きさが所定の目標レベル又は所定の下側閾値を下回る場合に、第１のサンプル流量及び／又は第１のサンプル流量継続時間を増大させ、（ｂ）比例共振周波数応答が所定の目標レベル又は所定の上側閾値を上回る場合に、第１のサンプル流量及び／又は第１のサンプル流量継続時間を減少させることにより、信号の大きさを所定の目標レベル又は所定の上側閾値と下側閾値との範囲内に維持するように構成されたモジュールを含む感度制御プログラムを含み得る。プロセッサにより実行される空気汚染物質認識プログラムは、必要に応じて、持続性コンピュータ可読媒体に格納され、プロセッサは、少なくとも１つの決定された空気汚染物質の種類の値を表示（出力）する。例えば、プロセッサとともに動作可能に配置された表示装置（携帯型装置等）を用いたＧＵＩを通じて、少なくとも１つの値を表示可能である。この代替又は追加として、例えば、少なくとも１つの値の点灯式表示装置による表示又は音声伝達が可能である。
【００５６】
[0066]電子機器は、当技術分野において既知の多様な構成を有し得る。図２及び図３に示す実施形態において、電子機器は、ケーブル６０１、６０１’、コネクタ６０５、６０５’、第１の支持部３１１に組み込まれた電気配線６２０、６２０’（したがって、不可視）、ワイヤボンド６２５、６２５’、及び収集器１０に組み付けられた配線６３０、６３０’（したがって、不可視）を介して、電力を必要に応じて各加熱器１７５、１７５’に供給するとともに、ケーブル６９０を介して、電力を必要に応じてポンプ３００３（後述）に供給する。また、図２及び図３に関して後述する通り、重量測定センサに関する電子機器は、例えば電気配線６４０、６４０’、ワイヤボンド６４５、６４５’、第２の支持部３１２に組み込まれた電気配線６５０、６５０’（したがって、不可視）、６６０、６７０（図５に示す）、コネクタ６５５、及びケーブル６５１、６５１’を含み得る。
【００５７】
[0067]付加的な収集器及び重量測定センサを含む実施形態において、各重量測定センサは通常、それぞれの発振回路、電気配線、及びワイヤボンドを有することになる。また、別個のケーブル及びコネクタを有していてもよいし、信号がマルチワイヤケーブル及びコネクタに導入されるようになっていてもよい。通常は、１つのフィールドプログラマブルゲートアレイ（ＦＰＧＡ）によって、複数の重量測定センサの共振周波数を計数可能である。すべての収集器が並列に配線され、同じ電子機器の電源回路により加熱されることも可能であるし、或いは、別個の回路による電力供給及び独立した加熱によって、例えば異なる温度又は継続時間にすることも可能である。
【００５８】
[0068]共振周波数は、必要に応じて、例えば位相ロックループ又はデジタルシグナルプロセッサ（ＤＳＰ）チップを用いた周波数掃引の実行により掃引スペクトルから共振周波数を識別することによって測定可能である。
【００５９】
[0069]或いは、必要に応じて、重量測定センサにより生成された比例共振周波数応答を測定するように、レーザ及び光検出器を備えた共振周波数測定装置を構成可能である。
【００６０】
[0070]本発明の実施形態に係る、多様なポンプが使用に適している。図２及び図３に示すように、ポンプ３００３は、１つ若しくは複数の微細多孔質媒体並びに１つ若しくは複数の重量測定センサの下流に位置決めされるのが好ましく、任意選択的な入口マニホールド５１０、第２の支持部３１２、第１の支持部３１１、及びスペーサ３１５がサンプルを隔離することにより、その汚染又は希釈を回避するとともに、ポンプにより生成された流れがすべて１００、１００’を流れるようにする。ポンプは、サンプルを汚染しないように、重量測定センサ及び微細多孔質媒体の後段に位置決めされる。重量測定センサは、サンプル流が各センサ表面に向かって流れないように構成された状態で、微細多孔質媒体の上流に位置決めされることにより、センサの表面上への汚染物質及び不要な物質（塵埃、エアロゾル、及び／又は微粒子等）の移動を最小限に抑える。
【００６１】
[0071]２つ以上の航空機空気汚染物質収集器及び対応する重量測定センサ（収集器−センサセットを提供する）を含む実施形態においては、各収集器−センサセットが少なくとも１つの他のセットと同じ環境条件（例えば、温度、圧力、相対湿度）に維持される。各セットを異なる時間又は異なる条件下で測定することによる応答パターン中の「ノイズ」の低減によって、検出性能が向上するためである。収集器−センサセットはすべて、ごく近接して配置されるのが好ましい。
【００６２】
[0072]各収集器−センサセットは、ノイズレベルを上回る応答を与えて良好な精度をもたらすように、少なくとも１つのその他のセットと同様の感度を有するものとする。
【００６３】
[0073]本発明の実施形態においては、多様な重量測定センサが使用に適しており、例えば薄膜共振器（ＴＦＲ）、弾性表面波（ＳＡＷ）共振器、厚みすべりモード（ＴＳＭ）共振器（水晶振動子マイクロバランス（ＱＣＭ）共振器）、弾性プレートモード（ＡＰＭ）共振器、たわみ板波（ＦＰＷ）共振器、バルク弾性波（ＢＡＷ）共振器、圧電バイモルフ共振器アレイセンサ、及び音叉センサが挙げられる。
【００６４】
[0074]一実施形態において、センサは、官能性ＳｉＯ２ナノ粒子（例えば、トリエチオキシシランで官能化）で被覆可能である官能性ＳｉＯ２ナノ粒子を生成する好適なトリエチオキシシランとしては、例えば３−［２−（３−トリエトキシシリルプロポキシ）エトキシ］スルホラン（９５％）、フェネチルトリメトキシシラン（ｔｅｃｈ−９５）、３−メチオキシプロピルトリメトキシシラン、Ｎ−（アセチルグリクル）−３−アミノプロピルトリメトキシシラン（メタノール中５％）、及びドデカフルオロデカ−９−エン−１−イルトリメトキシシラン（９５％）が挙げられる。いくつかの実施形態において、官能性ＳｉＯ２ナノ粒子は、センサの表面に堆積可能な自己組織化単分子層を構成する。
【００６５】
[0075]一実施形態において、重量測定センサは、共振下で屈曲する２つの活性層を備え、空気汚染物質の塊の追加又は除去によって共振周波数の比例変化を生じる圧電バイモルフ共振器アレイを備える。このような重量測定センサの一例は、米国特許第６，９５３，９７７号に開示されている。
【００６６】
[0076]図５に示す一実施形態において、重量測定センサ３は、第１の電極３Ａ（図２も参照）及び第２の電極３Ｂを具備しており（一体的に共振器を構成する）、センサの表面上の第１の電極を介して、センサの運動が電気信号に変換され、この信号が増幅されてセンサ表面の第２の電極に戻されることで、センサを共振駆動可能である。重量測定センサは、第１のバランスキャパシタ電極５Ａ及び第２のバランスキャパシタ電極（測定電極）５Ｂを備えた任意選択的なバランスキャパシタ５をさらに備えることができ、共振器に隣り合って含まれることで、寄生容量及び抵抗の寄与を電気信号から減少させる。バランスキャパシタは、重量測定センサと同様又は同一の構成材料及び寸法を有するが、移動不可能に構成されている（例えば、基板上には、バランスキャパシタが移動できる空間が存在しない）。バランスキャパシタは、例えば専用電気配線を通じて第１のバランスキャパシタ電極に至る１８０°位相シフト信号により駆動可能である。第２のバランスキャパシタ電極（測定電極）から変換された信号は、電子機器（例えば、フィールドプログラマブルゲートアレイ（ＦＰＧＡ）及び振動率を計数するファームウェア）に導入される際に、センサの第１の電極により変換された信号と組み合わされる。
【００６７】
[0077]当技術分野において認識される通り、様々な重量測定センサの比例周波数応答の測定には、多様な種類の電子機器が適している。
【００６８】
[0078]本発明の実施形態に従って使用する微細多孔質媒体（例えば、微細多孔質膜）には、多様な材料が適している。微細多孔質膜のほか、好適な微細多孔質媒体としては、繊維材料、セラミック、印刷構造、及び微細加工構造が挙げられる。微細多孔質媒体は、支持することも可能であるし、支持しないことも可能である。通常、微細多孔質媒体が微細多孔質膜である実施形態において、この膜は、少なくとも約２０マイクロメートル〜約５００マイクロメートルの範囲の厚さ、より一般的には、約５０マイクロメートル〜約２００マイクロメートルの範囲の厚さを有するものの、いくつかの用途においては、これより薄くすることも可能であるし、厚くすることも可能である。
【００６９】
[0079]微細多孔質媒体（例えば、微細多孔質膜）は、多孔質又は穿孔質であり、例えば約５マイクロメートル〜約５０マイクロメートル、通常は、１０マイクロメートル〜約３０マイクロメートルのサイズ及び／又は直径の好適な規則性及び／又は不規則性流通チャネル及び／又は細孔を提供するものの、いくつかの用途においては、これより小さくすることも可能であるし、大きくすることも可能である。この膜は、上下面及び流通チャネル及び／若しくは細孔の内側と関連付けられた（例えば、固定及び／若しくは共有結合された）化学選択的被膜並びに／又は膜のバルク中の化学選択的粒子を含む。
【００７０】
[0080]本発明の実施形態における使用では、例えば多孔質シリカ、活性炭、金属有機構造体（ＭＯＦ）、ゼオライト−イミダゾレート構造体（ＺＩＦ）、チタニア（ＴｉＯ２）粒子、及びゼオライト（疎水性ゼオライト及び親水性ゼオライトを含む）等、多様な化学選択的被膜が適している。好適なゼオライト被膜としては、Ｚ１００（疎水性ゼオライト）、Ｚ１１０（疎水性ゼオライト）、Ｚ３００（低疎水性ゼオライト）、及びＺ８１０（親水性ゼオライト）（Ｚｅｏｃｈｅｍ  ＬＬＣ、Ｌｏｕｉｓｖｉｌｌｅ、ＫＹ）が挙げられるが、これらに限定されない。
【００７１】
[0081]好適な加熱器（薄膜抵抗性加熱器が好ましい）は、当技術分野において知られている。例示的な加熱器としては、例えば約５５０℃まで劣化なく微細多孔質媒体を抵抗加熱可能な白金（Ｐｔ）及びタンタル−白金（ＴａＰｔ）高温適合性薄膜抵抗性加熱器が挙げられる。この加熱器は、例えば堆積、リソグラフィ、及び溶解プロセスの組み合わせによって、基板上の適所に作製されるのが好ましい。
【００７２】
[0082]当技術分野においては、多様な加熱器、温度センサ、圧力センサ、バルブ、及び可調整流量制御器が知られている。図３においては、必要に応じて回転することで各サンプル部分流路に突き出し得るねじ式構成要素として可調整流量制御器１１００Ａ及び１１００Ｂを示しているが、当技術分野においては、ニードルバルブ、ボールバルブ、及び狭窄管（絞り管）等の他種の可調整流量制御器が知られている。
【００７３】
[0083]第１及び第２の支持部、収集器ダイ、及び基板としての使用には、多様な材料が適するが、当技術分野においては、好適な材料が知られており、マイクロエレクトロニクス製造プロセスを用いて容易に製造可能である。例えば、シリコン等の材料から製造可能である。通常、これらの材料は微細加工可能であり、必要に応じて配線、電極、及び相互接続等の電気的構造を含むことで必要な場合電力を供給可能とするような微細加工並びに／又は懸架板、テザー、膜等の機械的構造及び流通チャネル等の流体的構造を含むような微細加工を可能にするのが望ましい。
【００７４】
[0084]以下の実施例は、本発明をさらに説明するものであるが、当然のことながら、何らその範囲を制限するものとは解釈されないものとする。
【００７５】
実施例１
[0085]本実施例は、収集器を通る流量が増えると信号の大きさ（重量測定センサにより測定される周波数の変化）が変化することを明らかにする。
【００７６】
[0086]図１〜図３に大略示すように航空機空気汚染物質分析装置をセットアップし、図５に大略示すように共振器及びバランスキャパシタをセットアップする。
【００７７】
[0087]重量測定センサは、質量負荷のダイナミックレンジが広く、質量負荷の応答が線形の微細加工（ＭＥＭＳ）圧電バイモルフＳｉＣ−ＡｌＮ共振器アレイである。共振器は、質量負荷の感度が高い共振モードを与える小さな連結板を有し、表面に薄膜電極が堆積されることで、電気的駆動により共振をもたらすとともに、運動を電気信号に戻して読み出し可能にする。センサは、共振器と信号をやり取りする金属配線を含む。共振周波数は、約１ＭＨｚ〜３０ＭＨｚの範囲内である。
【００７８】
[0088]バランスキャパシタは、重量測定センサと同一であるが、移動不可能に構成されている。
【００７９】
[0089]航空機空気汚染物質収集器は、直径が約２５マイクロメートルの流通チャネルを有し、上流、下流、及び流通チャネルの表面を被覆する疎水性ゼオライト粉末（Ｚ３００（Ｚｅｏｃｈｅｍ  ＬＬＣ、Ｌｏｕｉｓｖｉｌｌｅ、ＫＹ））をさらに有する微細多孔質シリコン膜を含む。
【００８０】
[0090]加熱器は、当技術分野において既知のプロセスにより基板に組み込まれ、膜に直接堆積されたタンタル−白金（ＴａＰｔ）高温適合性薄膜抵抗性加熱器である。
【００８１】
[0091]除氷流体、タービンエンジンオイル（ＡＥＲＯＳＨＥＬＬ  ５６０（Ｓｈｅｌｌ））、及び油圧流体（Ｅｘｘｏｎ  ＨＹＪＥＴ（Ｅｘｘｏｎ））という３つの汚染物質がそれぞれ固定濃度で、第１のサンプル流路に沿って収集器を通過するが、収集器を迂回する第２のサンプル流路に沿った流れは、１．０標準リットル／分（ＳＬＭ）の一定に保たれる。流量継続時間は、すべての測定について一定である。
【００８２】
[0092]図６に示すように、第１のサンプル流路に沿った高い流量は、より大きな負の信号に対応する（より多くの汚染物質の検出に対応する）ため、航空機空気汚染物質分析装置の感度の変更に対してサンプル流量（ひいては、サンプル量）の変調をどのように使用可能であるかを明らかにしている。
【００８３】
実施例２
[0093]本実施例は、航空機空気汚染物質分析装置の一実施形態が広範な濃度にわたって機能することを明らかにする。
【００８４】
[0094]実施例１に大略記載した通り、航空機空気汚染物質分析装置をセットアップする。
【００８５】
[0095]航空機空気汚染物質分析装置は、清浄な空気を試した後、タービンエンジンオイル（ＡＥＲＯＳＨＥＬＬ  ５６０（Ｓｈｅｌｌ））の３つの異なる濃度を試すが、これら３つの試行の信号の大きさが略等しくなるように、サンプリング時間及び収集器を通る流量を各試行に先立って設定することにより感度を調整する。
【００８６】
[0096]バイパス流量は、１．０ＳＬＭである。
【００８７】
[0097]図７は、航空機空気汚染物質分析装置に清浄な空気を試した後にタービンエンジンオイルを試した後のエンジンオイルの一連の測定結果を合成グラフとして示しており、測定結果１１０〜１３７は、濃度５ｍｇ／ｍ３、サンプル時間１１秒、流量３００標準立方センチメートル／分（ｓｃｃｍ）であり、測定結果１７５〜１９９は、濃度０．５ｍｇ／ｍ３、サンプル時間１６．５秒、流量１２００ｓｃｃｍであり、測定結果２４２〜２６５は、濃度５０ｍｇ／ｍ３、サンプル時間１１秒、流量１８．５ｓｃｃｍである。
【００８８】
[0098]図７のデータは、サンプル時間及び／又は流量によって航空機空気汚染物質分析装置の一実施形態の感度を増減させることにより、広範な濃度にわたって機能し得るようにできることを示している。
【００８９】
実施例３
[0099]本実施例においては、航空機空気汚染物質分析装置をバイパスなしで構成し、疎水性ゼオライト被膜（Ｚ３００（Ｚｅｏｃｈｅｍ  ＬＬＣ、Ｌｏｕｉｓｖｉｌｌｅ、ＫＹ））で被覆された膜を備えた一対の重量測定センサによって、収集器からの脱着を測定する。
【００９０】
[0100]最初に、汚染物質なしで周波数シフト対時間を決定する（例えば、校正時に正常な実験室空気を使用するか、滅菌フィルタを通過した空気を使用するか、又は最初は空気を収集器に通過させない）。例えば、共振周波数は、４秒間にわたって０．０１秒ごとに測定する。共振周波数は、加熱電力が収集器に適用された場合に、０．５秒で低下し始める。共振器に移動した熱によって、その共振周波数が低下する。これは、「熱応答」とも称し、汚染物質がない場合の応答スペクトルを示す。応答スペクトルは、汚染物質（除氷流体）が存在する場合にも決定するが、その両応答スペクトルを図８に示す。
【００９１】
[0101]図９に示すように、最初の応答スペクトル（汚染物質なし）を２番目の応答スペクトル（汚染物質あり）から減算することによって、汚染物質のみの存在による周波数シフトが明らかとなるが、これは「熱的減算応答」を示す。
【００９２】
[0102]「熱的減算応答」からは、様々な特徴を計算することができる。そのような特徴の４つの例として、以下が挙げられる。
【００９３】
[0103]ａ）最大周波数シフト（ＭＦＳ）：応答中に見られる最大周波数シフト
[0104]ｂ）ピーク前合算（ＳＢ）：ＭＦＳ前のカーブ下側の面積
[0105]ｃ）ピーク後合算（ＳＢ）：ＭＦＳ後のカーブ下側の面積
[0106]ｄ）セグメント＃５（Ｓ５）：ＭＦＳ後の３７番目から４６番目までの周波数測定結果の平均
[0107]これら４つの特徴を図１０に示す。
【００９４】
実施例４
[0108]本実施例は、パターン認識アルゴリズムによる実施例３に記載の特徴ＭＦＳの使用によって汚染物質をどのように識別可能であるかを明らかにする。
【００９５】
[0109]実施例１に記載の重量測定センサを備えた航空機空気汚染物質分析装置を使用して、タービンエンジンオイル（ＡＥＲＯＳＨＥＬＬ  ５６０（Ｓｈｅｌｌ））、油圧流体（Ｅｘｘｏｎ  ＨＹＪＥＴ（Ｅｘｘｏｎ））、及び除氷流体を分析装置に順次試した場合の周波数シフト対時間を決定する。
【００９６】
[0110]結果を図１１に示すが、応答（平均ＭＦＳ）は、オイル及び油圧流体で類似しており、除氷流体で異なる。
【００９７】
[0111]図１２に示すように、特徴ＭＦＳの使用は、除氷流体を油圧流体及びタービンエンジンオイルから区別可能であることを示している。油圧流体及びタービンエンジンオイルの場合、Ｚ３００被覆収集器の隣の重量測定センサからのＭＦＳ特徴に対する多孔質シリカ被覆収集器の隣の重量測定センサからのＭＦＳ特徴の比は、０〜約２の範囲であるが、除氷流体の場合の比は、約１２〜約２３の範囲である。
【００９８】
[0112]本明細書に引用の公開公報、特許出願公報、及び特許公報を含むすべての参考文献は、それぞれが援用を個別且つ具体的に指示され、そのすべてが本明細書に参照により援用され示されたのと同じ程度まで参照により本明細書に援用する。
【００９９】
[0113]本発明の説明の文脈（特に、以下の特許請求の範囲の文脈）における用語「ａ」、「ａｎ」、「ｔｈｅ」、及び「少なくとも１つ（ａｔ  ｌｅａｓｔ  ｏｎｅ）」、並びに類似の指示対象の使用は、文脈上の別段の指示又は明らかな矛盾がない限り、単数形及び複数形の両者を含むものと解釈されるものとする。少なくとも１つの項目の一覧が後続する用語「少なくとも１つ（ａｔ  ｌｅａｓｔ  ｏｎｅ）」の使用（例えば、「Ａ及びＢのうちの少なくとも１つ（ａｔ  ｌｅａｓｔ  ｏｎｅ  ｏｆ  Ａ  ａｎｄ  Ｂ）」）は、文脈上の別段の指示又は明らかな矛盾がない限り、一覧の項目から選択される１つの項目（Ａ若しくはＢ）又は一覧の項目のうちの２つ以上の任意の組み合わせ（Ａ及びＢ）を意味するものと解釈されるものとする。また、用語「備える（ｃｏｍｐｒｉｓｉｎｇ）」、「有する（ｈａｖｉｎｇ）」、「具備する（ｉｎｃｌｕｄｉｎｇ）」、及び「含む（ｃｏｎｔａｉｎｉｎｇ）」は、別段の指定のない限り、オープンエンドな用語（すなわち、「〜を含むが、これらに限定されない（ｉｎｃｌｕｄｉｎｇ，ｂｕｔ  ｎｏｔ  ｌｉｍｉｔｅｄ  ｔｏ）」を意味する）として解釈されるものとする。本明細書における値の範囲の記述は、本明細書における別段の指示のない限り、当該範囲内の各別個の値を個々に参照する簡潔な方法として機能することを意図したに過ぎず、各別個の値は、本明細書において個々に列挙されるかの如く、本明細書に援用する。本明細書に記載のすべての方法は、文脈上の別段の指示又は明らかな矛盾がない限り、任意の好適な順序で実行可能である。本明細書に提示のありとあらゆる例又は例示的な表現（例えば、「〜等（ｓｕｃｈ  ａｓ）」）の使用は、本発明をより明確化することのみを意図しており、別段の要求のない限り、本発明の範囲に何ら制約を課すものではない。本明細書の表現は、本発明の実施に必須の如何なる非請求要素を示すとも解釈されないものとする。
【０１００】
[0114]本明細書においては、本発明者らが把握している本発明を実行するための最良の形態を含めて、本発明の好適な実施形態を説明している。上記説明を読めば、これら好適な実施形態の変形例が当業者には明らかとなり得る。本発明者らは、このような変形例を熟練技術者が必要に応じて採用することを予想しており、本明細書の具体的な記述とは別に本発明が実施されることを意図している。したがって、本発明は、準拠法が許可する添付の特許請求の範囲に列挙の主題のすべての改良物及び同等物を含む。さらに、文脈上の別段の指示又は明らかな矛盾がない限り、上述の要素は、その考え得るすべての変形例において、任意の組み合わせが本発明に包含される。
【符号の説明】
【０１０１】
１  航空機空気汚染物質収集器
１’  航空機空気汚染物質収集器
３  重量測定センサ
３’  重量測定センサ
３Ａ  第１の電極
３Ｂ  第２の電極
５  バランスキャパシタ
５Ａ  第１のバランスキャパシタ電極
５Ｂ  第２のバランスキャパシタ電極（測定電極）
１０  基部
１０’  基部
１００  多孔質媒体
１００’  多孔質媒体
１００Ａ  微細多孔質媒体
１００Ａ’  微細多孔質媒体
１０１  第１の基板主層
１０１Ａ  第１の基板上層
１０１Ｂ  第１の基板下層
１１１  上面
１１２  下面
１１５  微細多孔質流通チャネル
１２０  絶縁層
１５０  化学選択的被膜
１５０’  化学選択的被膜
１７５  加熱器
１７５’  加熱器
１９０  テザー
１９５  チャネル
２００  航空機空気汚染物質分析装置
２０１  第２の基板
２０１’  第２の基板
２０１Ａ  上面
２０１Ａ’  上面
２０１Ｂ  下面
２０１Ｂ’  下面
３１１  第１の支持部
３１１Ａ  上面
３１１Ｂ  下面
３１２  第２の支持部
３１２Ａ  上面
３１２Ｂ  下面
３１５  スペーサ
５００  航空機空気汚染物質分析装置入口
５１０  入口マニホールド
６００  電子機器
６０１  ケーブル
６０１’  ケーブル
６０５  コネクタ
６０５’  コネクタ
６１０  測定回路
６１０Ａ  共振周波数測定装置
６２０  電気配線
６２０’  電気配線
６２５  ワイヤボンド
６２５’  ワイヤボンド
６３０  配線
６３０’  配線
６４０  電気配線
６４０’  電気配線
６４５  ワイヤボンド
６４５’  ワイヤボンド
６５０  電気配線
６５０’  電気配線
６５１  ケーブル
６５１’  ケーブル
６５５  コネクタ
６９０  ケーブル
６９９  パッケージ層
８００  流通加熱器
８１０  温度センサ
８５０  第１のバルブ
９１０  圧力センサ
１０００Ａ  第１のサンプル部分流路
１０００Ｂ  第２のサンプル部分流路
１０１１  第１の基板
１０５０  第２のバルブ
１０７５  出口マニホールド
１１００Ａ  第１の可調整流量制御器
１１００Ｂ  第２の可調整流量制御器
２０００  バイパスサンプル流路
２００１  バイパス部
２００２  バイパスチャネルポート
２００３  バイパスチャネル
２００４  共通入口
２０５０  第３のバルブ
３００３  ポンプ
【図１】
2020187111.tif 000003
【図２】
2020187111.tif 000004
【図３】
2020187111.tif 000005
【図４Ａ】
2020187111.tif 000006
【図４Ｂ】
2020187111.tif 000007
【図４Ｃ】
2020187111.tif 000008
【図４Ｄ】
2020187111.tif 000009
【図５】
2020187111.tif 000010
【図６】
2020187111.tif 000011
【図７】
2020187111.tif 000012
【図８】
2020187111.tif 000013
【図９】
2020187111.tif 000014
【図１０】
2020187111.tif 000015
【図１１】
2020187111.tif 000016
【図１２】
2020187111.tif 000017
【外国語明細書】
2020187111000001.pdf